(57)【特許請求の範囲】
【請求項１】
プライマリセルを含むサービングセルグループである第１サービングセルグループを用いる端末装置であって、
プライマリセルを含まないサービングセルグループであって、第２基地局装置により提供される第２サービングセルグループを設定する上位層制御情報取得部と、
前記第１サービングセルグループに属する複数のサービングセルそれぞれの第１周期的チャネル状態情報、または前記第２サービングセルグループに属する複数のサービングセルそれぞれの第２周期的チャネル状態情報を算出するチャネル状態情報生成部と、
１つのサブフレームにおいて、前記第１サービングセルグループ内の複数のサービングセル間で前記第１周期的チャネル状態情報の報告が衝突する場合、最小のセルインデクスを持つサービングセル以外の第１周期的チャネル状態情報をドロップし、１つのサブフレームにおいて、前記第２サービングセルグループ内の複数のサービングセル間で前記第２周期的チャネル状態情報の報告が衝突する場合、最小のセルインデクスを持つサービングセル以外の第２周期的チャネル状態情報をドロップし、前記第１周期的チャネル状態情報を含む第１上りリンク制御情報、および前記第２周期的チャネル状態情報を含む第２上りリンク制御情報を生成する上りリンク制御情報生成部と、
前記第１上りリンク制御情報を含む第１上りリンクサブフレームを送信し、前記第２上りリンク制御情報を含む第２の上りリンクサブフレームを送信する上りリンク制御情報送信部と、を備え、
前記第１サービングセルグループは、前記第２基地局装置とは異なる第１基地局装置により提供される、
端末装置。
【請求項２】
前記上位層制御情報取得部は、上位層制御情報を取得し、前記上位層制御情報に基づいて、前記第２サービングセルグループを設定する請求項１に記載の端末装置。
【請求項３】
前記複数のサービングセルは、第１の基地局装置との通信に用いられ、前記第１サービングセルグループに属すサービングセルと、第２の基地局装置との通信に用いられ、前記第２サービングセルグループに属すサービングセルとを含む請求項１に記載の端末装置。
【請求項４】
プライマリセルを含むサービングセルグループである第１サービングセルグループを用いる端末装置において実行される通信方法であって、
プライマリセルを含まないサービングセルグループであって、第２基地局装置により提供される第２サービングセルグループを設定するステップと、
前記第１サービングセルグループまたは前記第２サービングセルグループに属する複数のサービングセルそれぞれの周期的チャネル状態情報を算出するステップと、
１つのサブフレームにおいて、前記第１サービングセルグループ内の前記複数のサービングセル間で第１周期的チャネル状態情報の報告が衝突する場合、最小のセルインデクスを持つサービングセル以外の第１周期的チャネル状態情報をドロップし、１つのサブフレームにおいて、前記第２サービングセルグループ内の前記複数のサービングセル間で第２周期的チャネル状態情報の報告が衝突する場合、最小のセルインデクスを持つサービングセル以外の第２周期的チャネル状態情報をドロップし、前記第１周期的チャネル状態情報を含む第１上りリンク制御情報、および前記第２周期的チャネル状態情報を含む第２上りリンク制御情報を生成するステップと、
前記第１上りリンク制御情報を含む第１上りリンクサブフレームを送信し、前記第２上りリンク制御情報を含む第２上りリンクサブフレームを送信するステップと、を有し、
前記第１サービングセルグループは、前記第２基地局装置とは異なる第１基地局装置により提供される、通信方法。
【発明の詳細な説明】
【技術分野】
【０００１】
本発明の実施形態は、効率的なチャネル状態情報の共有を実現する端末装置、基地局装置、および通信方法の技術に関する。
本願は、２０１３年６月２６日に、日本に出願された特願２０１３−１３３４０１号に基づき優先権を主張し、その内容をここに援用する。
【背景技術】
【０００２】
標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、ＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降ＥＵＴＲＡと称する）の標準化が行なわれた。【０００３】
また、３ＧＰＰでは、より高速なデータ伝送を実現し、ＥＵＴＲＡに対して上位互換性を持つＡｄｖａｎｃｅｄ  ＥＵＴＲＡの検討を行っている。ＥＵＴＲＡでは、基地局装置がほぼ同一のセル構成（セルサイズ）から成るネットワークを前提とした通信システムであったが、Ａｄｖａｎｃｅｄ  ＥＵＴＲＡでは、異なる構成の基地局装置（セル）が同じエリアに混在しているネットワーク（異種無線ネットワーク、ヘテロジニアスネットワーク（Ｈｅｔｅｒｏｇｅｎｅｏｕｓ  Ｎｅｔｗｏｒｋ））を前提とした通信システムの検討が行われている。【０００４】
ヘテロジニアスネットワークのように、セル半径の大きいセル（マクロセル）と、セル半径がマクロセルよりも小さいセル（小セル、スモールセル）とが配置される通信システムにおいて、端末装置が、マクロセルとスモールセルとに同時に接続して通信を行うデュアルコネクティビティ（Ｄｕａｌ  Ｃｏｎｎｅｃｔｉｖｉｔｙ）技術（双対接続性技術）について検討されている（非特許文献１）。【０００５】
非特許文献１において、端末装置がセル半径（セルサイズ）の大きいセル（マクロセル）とセル半径の小さいセル（スモールセル（または、ピコセル））との間でデュアルコネクティビティを実現しようとするとき、マクロセルとスモールセル間のバックボーン回線（Ｂａｃｋｈａｕｌ（バックホール））が低速であり、遅延が発生することを前提としたネットワークでの検討が進められている。すなわち、マクロセルとスモールセル間での制御情報またはユーザ情報のやり取りが遅延することによって、従来では実現できていた機能が実現できない、または実現が困難となる可能性がある。【０００６】
また、非特許文献２では、端末装置が、高速バックホールで連結されている複数のセルに対して同時に接続する際に、セルにおけるチャネル状態情報をフィードバックする方法が記載されている。
【先行技術文献】
【非特許文献】
【０００７】
【非特許文献１】Ｒ２−１３０４４４，ＮＴＴ  ＤＯＣＯＭＯ，３ＧＰＰ  ＴＳＧ  ＲＡＮ２＃８１，Ｊａｎｕａｒｙ  ２８ｔｈ  −  Ｆｅｂｒｕａｒｙ  １ｓｔ，２０１３．
【非特許文献２】３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｐｈｙｓｉｃａｌ  ｌａｙｅｒ  ｐｒｏｃｅｄｕｒｅｓ  （Ｒｅｌｅａｓｅ  １０）、２０１３年２月、３ＧＰＰ  ＴＳ  ３６．２１３  Ｖ１１．２．０  （２０１３−２）。
【発明の概要】
【発明が解決しようとする課題】
【０００８】
高速バックホールで連結されている複数のセルに対して同時に接続する際に、端末装置が基地局装置に、セルにおけるチャネル状態情報をフィードバックすることはできる。しかしながら、低速バックホールを前提としたデュアルコネクティビティを用いる場合、セル間での情報共有が制限されるため、従来のチャネル状態情報のフィードバック方法をそのまま用いることができない。【０００９】
本発明の一態様は上記の点に鑑みてなされたものであり、その目的は、バックホール速度によらず効率的にチャネル状態情報を共有することができる端末装置、基地局装置、通信システム、および通信方法を提供することである。
【課題を解決するための手段】
【００１０】
（１）上記の目的を達成するために、本発明は、以下のような手段を講じた。すなわち、本発明の一態様による端末装置は、プライマリセルを含むサービングセルグループである第１サービングセルグループを用いる端末装置であって、プライマリセルを含まないサービングセルグループである第２サービングセルグループを設定する上位層制御情報取得部と、複数のサービングセルそれぞれの周期的チャネル状態情報を算出するチャネル状態情報生成部と、１つのサブフレームにおいて、複数のサービングセルのうち、第１サービングセルグループ内の複数のサービングセルの周期的チャネル状態情報の報告が衝突する場合、１つ以外の当該周期的チャネル状態情報をドロップし、複数のサービングセルのうち、第２サービングセルグループ内の複数のサービングセルの周期的チャネル状態情報の報告が衝突する場合、１つ以外の当該周期的チャネル状態情報をドロップして、上りリンク制御情報を生成する上りリンク制御情報生成部と、上りリンク制御情報を含む上りリンクサブフレームを送信する上りリンク制御情報送信部と、を有する。【００１１】
（２）また、本発明の一態様による端末装置は上述の端末装置であって、上位層制御情報取得部は、上位層制御情報を取得し、上位層制御情報に基づいて、第２サービングセルグループを設定する。【００１２】
（３）また、本発明の一態様による端末装置は上述の端末装置であって、複数のサービングセルは、第１サービングセルグループに属すサービングセルと、第２サービングセルグループに属すサービングセルとを含む。【００１３】
（４）また、本発明の一態様による端末装置は上述の端末装置であって、上りリンク制御情報送信部は、周期的チャネル状態情報の報告が衝突したサービングセルと同じサービングセルグループに属すサービングセルのうち、最小のセルインデクスを持つサービングセルにおいて、上りリンク制御情報を含む上りリンクサブフレームを送信する。【００１４】
（５）また、本発明の一態様による端末装置は上述の端末装置であって、上りリンク制御情報生成部は、周期的チャネル状態情報の報告が衝突したサービングセルの中で最小のセルインデクスを持つサービングセルの周期的チャネル状態情報以外の周期的チャネル状態情報をドロップして、上りリンク制御情報を生成する。【００１５】
（６）また、本発明の一態様による基地局装置は、プライマリセルを含むサービングセルグループである第１サービングセルグループを用いる基地局装置であって、プライマリセルを含まないサービングセルグループである第２サービングセルグループを設定する上位層制御情報通知部と、上りリンクサブフレームを受信する上りリンク制御情報受信部と、１つの上りリンクサブフレームにおいて、第１サービングセルグループに属す２つ以上のサービングセルの周期的チャネル状態情報の報告が衝突する場合、衝突した周期的チャネル状態情報の中の１つの周期的チャネル状態情報のみを含む上りリンク制御情報を抽出する上りリンク制御情報抽出部と、を有する。【００１６】
（７）また、本発明の一態様による基地局装置は、マスター基地局装置とともに端末装置と通信する基地局装置であって、マスター基地局装置から端末装置に関する設定情報を取得するバックホール処理部と、上りリンクサブフレームを受信する上りリンク制御情報受信部と、１つの上りリンクサブフレームにおいて、プライマリセルを含まないサービングセルグループである第２サービングセルグループに属す２つ以上のサービングセルの周期的チャネル状態情報の報告が衝突する場合、衝突した周期的チャネル状態情報の中の１つの周期的チャネル状態情報のみを含む上りリンク制御情報を抽出する上りリンク制御情報抽出部と、を有する。【００１７】
（８）また、本発明の一態様による基地局装置は、端末装置とそれぞれ１つ以上のサービングセルを用いて通信する複数の基地局装置のうちの、プライマリセルを含むサービングセルグループである第１サービングセルグループを用いる第１の基地局装置であって、複数の基地局装置のうちの少なくともいずれかは、プライマリセルを含まないサービングセルグループである第２サービングセルグループを設定する上位層制御情報通知部を有し、第１の基地局装置は、上りリンクサブフレームを受信する上りリンク制御情報受信部と、１つの上りリンクサブフレームにおいて、第１サービングセルグループに属す２つ以上のサービングセルの周期的チャネル状態情報の報告が衝突する場合、衝突した周期的チャネル状態情報の中の１つの周期的チャネル状態情報のみを含む上りリンク制御情報を抽出する上りリンク制御情報抽出部と、を有する。【００１８】
（９）また、本発明の一態様による基地局装置は上述の基地局装置であって、上りリンク制御情報抽出部は、周期的チャネル状態情報の報告が衝突したサービングセルと同じサービングセルグループに属すサービングセルのうち、最小のセルインデクスを持つサービングセルの上りリンクサブフレームにおいて、上りリンク制御情報を抽出する。【００１９】
（１０）また、本発明の一態様による基地局装置は上述の基地局装置であって、上りリンク制御情報抽出部は、周期的チャネル状態情報の報告が衝突したサービングセルの中で最小のセルインデクスを持つサービングセルの周期的チャネル状態情報のみを含む上りリンク制御情報を抽出する。【００２０】
（１１）また、本発明の一態様による通信方法は、プライマリセルを含むサービングセルグループである第１サービングセルグループを用いる端末装置において実行される通信方法であって、プライマリセルを含まないサービングセルグループである第２サービングセルグループを設定するステップと、複数のサービングセルそれぞれの周期的チャネル状態情報を算出するステップと、１つのサブフレームにおいて、複数のサービングセルのうち、第１サービングセルグループ内の複数のサービングセルの周期的チャネル状態情報の報告が衝突する場合、１つ以外の当該周期的チャネル状態情報をドロップし、複数のサービングセルのうち、第２サービングセルグループ内の複数のサービングセルの周期的チャネル状態情報の報告が衝突する場合、１つ以外の当該周期的チャネル状態情報をドロップして、上りリンク制御情報を生成するステップと、上りリンク制御情報を含む上りリンクサブフレームを送信するステップと、を有する。【００２１】
（１２）また、本発明の一態様による通信方法は、プライマリセルを含むサービングセルグループである第１サービングセルグループを用いる基地局装置において実行される通信方法であって、プライマリセルを含まないサービングセルグループである第２サービングセルグループを設定するステップと、上りリンクサブフレームを受信するステップと、１つの上りリンクサブフレームにおいて、第１サービングセルグループに属す２つ以上のサービングセルの周期的チャネル状態情報の報告が衝突する場合、衝突した周期的チャネル状態情報の中の１つの周期的チャネル状態情報のみを含む上りリンク制御情報を抽出するステップと、を有する。【００２２】
（１３）また、本発明の一態様による通信方法は、マスター基地局装置とともに端末装置と通信する基地局装置において実行される通信方法であって、マスター基地局装置から端末装置に関する設定情報を取得するステップと、上りリンクサブフレームを受信するステップと、１つの上りリンクサブフレームにおいて、プライマリセルを含まないサービングセルグループである第２サービングセルグループに属す２つ以上のサービングセルの周期的チャネル状態情報の報告が衝突する場合、衝突した周期的チャネル状態情報の中の１つの周期的チャネル状態情報のみを含む上りリンク制御情報を抽出するステップと、を有する。
【発明の効果】
【００２３】
この発明の一態様によれば、バックホール速度によらず効率的にチャネル状態情報を共有することができる。
【図面の簡単な説明】
【００２４】
【図１】第１の実施形態に係る下りリンクの無線フレーム構成の一例を示す図である。
【図２】第１の実施形態に係る上りリンクの無線フレーム構成の一例を示す図である。
【図３】第１の実施形態に係るデュアルコネクティビティの基本構造を示す図である。
【図４】第１の実施形態に係るデュアルコネクティビティの基本構造を示す図である。
【図５】第１の実施形態に係る基地局装置のブロック構成の一例を示す図である。
【図６】第１の実施形態に係る端末装置のブロック構成の一例を示す図である。
【図７】第１の実施形態に係るコネクティビティグループの一例を示す図である。
【図８】第１の実施形態に係るコネクティビティグループにおけるＣＳＩの生成と報告の一例を示す図である。
【図９】第１の実施形態に係る周期的ＣＳＩ報告の一例を示す図である。
【図１０】第２実施形態に係る端末装置のブロック構成の一例を示す図である。
【図１１】第２の実施形態に係る周期的ＣＳＩ報告の一例を示す図である。
【発明を実施するための形態】
【００２５】
＜第１の実施形態＞
本発明の第１の実施形態について以下に説明する。基地局装置（基地局、ノードＢ、ｅＮＢ）と端末装置（端末、移動局、ユーザ装置、ＵＥ）とが、セルにおいて通信する通信システム（セルラーシステム）を用いて説明する。
【００２６】
ＥＵＴＲＡおよびＡｄｖａｎｃｅｄ  ＥＵＴＲＡで使用される主な物理チャネル、および物理シグナルについて説明を行なう。チャネルとは信号の送信に用いられる媒体を意味し、物理チャネルとは信号の送信に用いられる物理的な媒体を意味する。本実施形態において、物理チャネルは、信号と同義的に使用され得る。物理チャネルは、ＥＵＴＲＡ、およびＡｄｖａｎｃｅｄ  ＥＵＴＲＡにおいて、今後追加、または、その構造やフォーマット形式が変更または追加される可能性があるが、変更または追加された場合でも本実施形態の説明には影響しない。
【００２７】
ＥＵＴＲＡおよびＡｄｖａｎｃｅｄ  ＥＵＴＲＡでは、物理チャネルまたは物理シグナルのスケジューリングについて無線フレームを用いて管理している。１無線フレームは１０ｍｓであり、１無線フレームは１０サブフレームで構成される。さらに、１サブフレームは２スロットで構成される（すなわち、１サブフレームは１ｍｓ、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。
【００２８】
図１は、本実施形態に係る下りリンクの無線フレーム構成の一例を示す図である。下りリンクはＯＦＤＭアクセス方式が用いられる。下りリンクでは、ＰＤＣＣＨ、ＥＰＤＣＣＨ、物理下りリンク共用チャネル（ＰＤＳＣＨ；Ｐｈｙｓｉｃａｌ  Ｄｏｗｎｌｉｎｋ  Ｓｈａｒｅｄ  ＣＨａｎｎｅｌ）などが割り当てられる。下りリンクの無線フレームは、下りリンクのリソースブロック（ＲＢ；Ｒｅｓｏｕｒｃｅ  Ｂｌｏｃｋ）ペアから構成されている。この下りリンクのＲＢペアは、下りリンクの無線リソースの割り当てなどの単位であり、予め決められた幅の周波数帯（ＲＢ帯域幅）及び時間帯（２個のスロット＝１個のサブフレーム）からなる。１個の下りリンクのＲＢペアは、時間領域で連続する２個の下りリンクのＲＢ（ＲＢ帯域幅×スロット）から構成される。１個の下りリンクのＲＢは、周波数領域において１２個のサブキャリアから構成される。また、時間領域においては、通常のサイクリックプレフィッスが付加される場合には７個、通常よりも長いサイクリックプレフィッスが付加される場合には６個のＯＦＤＭシンボルから構成される。周波数領域において１つのサブキャリア、時間領域において１つのＯＦＤＭシンボルにより規定される領域をリソースエレメント（ＲＥ；Ｒｅｓｏｕｒｃｅ  Ｅｌｅｍｅｎｔ）と称する。物理下りリンク制御チャネルは、端末装置識別子、物理下りリンク共用チャネルのスケジューリング情報、物理上りリンク共用チャネルのスケジューリング情報、変調方式、符号化率、再送パラメータなどの下りリンク制御情報が送信される物理チャネルである。なお、ここでは一つの要素キャリア（ＣＣ；Ｃｏｍｐｏｎｅｎｔ  Ｃａｒｒｉｅｒ）における下りリンクサブフレームを記載しているが、ＣＣ毎に下りリンクサブフレームが規定され、下りリンクサブフレームはＣＣ間でほぼ同期している。
【００２９】
なお、ここでは図示していないが、下りリンクサブフレームには、同期シグナル（Ｓｙｎｃｈｒｏｎｉｚａｔｉｏｎ  Ｓｉｇｎａｌｓ）や物理報知情報チャネルや下りリンク参照信号（ＲＳ：Ｒｅｆｅｒｅｎｃｅ  Ｓｉｇｎａｌ、下りリンクリファレンスシグナル）が配置されてもよい。下りリンク参照信号としては、ＰＤＣＣＨと同じ送信ポートで送信されるセル固有参照信号（ＣＲＳ：Ｃｅｌｌ−ｓｐｅｃｉｆｉｃ  ＲＳ）、チャネル状態情報（ＣＳＩ：Ｃｈａｎｎｅｌ  Ｓｔａｔｅ  Ｉｎｆｏｒｍａｔｉｏｎ）の測定に用いられるチャネル状態情報参照信号（ＣＳＩ−ＲＳ）、一部のＰＤＳＣＨと同じ送信ポートで送信される端末固有参照信号（ＵＲＳ：ＵＥ−ｓｐｅｃｉｆｉｃ  ＲＳ）、ＥＰＤＣＣＨと同じ送信ポートで送信される復調用参照信号（ＤＭＲＳ：Ｄｅｍｏｄｕｌａｔｉｏｎ  ＲＳ）などがある。また、ＣＲＳが配置されないキャリアであってもよい。このとき一部のサブフレーム（例えば、無線フレーム中の１番目と６番目のサブフレーム）に、時間および／または周波数のトラッキング用の信号として、ＣＲＳの一部の送信ポート（例えば送信ポート０だけ）あるいは全部の送信ポートに対応する信号と同様の信号（拡張同期シグナルと呼称する）を挿入することができる。
【００３０】
図２は、本実施形態に係る上りリンクの無線フレーム構成の一例を示す図である。上りリンクはＳＣ−ＦＤＭＡ方式が用いられる。上りリンクでは、物理上りリンク共用チャネル（Ｐｈｙｓｉｃａｌ  Ｕｐｌｉｎｋ  Ｓｈａｒｅｄ  Ｃｈａｎｎｅｌ；ＰＵＳＣＨ）、ＰＵＣＣＨなどが割り当てられる。また、ＰＵＳＣＨやＰＵＣＣＨの一部に、上りリンク参照信号（上りリンクリファレンスシグナル）が割り当てられる。上りリンクの無線フレームは、上りリンクのＲＢペアから構成されている。この上りリンクのＲＢペアは、上りリンクの無線リソースの割り当てなどの単位であり、予め決められた幅の周波数帯（ＲＢ帯域幅）及び時間帯（２個のスロット＝１個のサブフレーム）からなる。１個の上りリンクのＲＢペアは、時間領域で連続する２個の上りリンクのＲＢ（ＲＢ帯域幅×スロット）から構成される。１個の上りリンクのＲＢは、周波数領域において１２個のサブキャリアから構成される。時間領域においては、通常のサイクリックプレフィッスが付加される場合には７個、通常よりも長いサイクリックプレフィッスが付加される場合には６個のＳＣ−ＦＤＭＡシンボルから構成される。なお、ここでは一つのＣＣにおける上りリンクサブフレームを記載しているが、ＣＣ毎に上りリンクサブフレームが規定される。
【００３１】
同期シグナルは、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（物理セルＩＤ（Ｐｈｙｓｉｃａｌ  Ｃｅｌｌ  Ｉｄｅｎｔｉｔｙ；  ＰＣＩ））と、無線同期のためのフレームタイミングが示される。端末装置は、セルサーチによって受信した同期シグナルの物理セルＩＤを特定する。
【００３２】
物理報知情報チャネル（ＰＢＣＨ；  Ｐｈｙｓｉｃａｌ  Ｂｒｏａｄｃａｓｔ  Ｃｈａｎｎｅｌ）は、セル内の端末装置で共通に用いられる制御パラメータ（報知情報（システム情報）；Ｓｙｓｔｅｍ  ｉｎｆｏｒｍａｔｉｏｎ）を通知（設定）する目的で送信される。物理下りリンク制御チャネルで報知情報が送信される無線リソースがセル内の端末装置に対して通知され、物理報知情報チャネルで通知されない報知情報は、通知された無線リソースにおいて、物理下りリンク共用チャネルによって報知情報を通知するレイヤ３メッセージ（システムインフォメーション）が送信される。
【００３３】
報知情報として、セル個別の識別子を示すセルグローバル識別子（ＣＧＩ；  Ｃｅｌｌ  Ｇｌｏｂａｌ  Ｉｄｅｎｔｉｆｉｅｒ）、ページングによる待ち受けエリアを管理するトラッキングエリア識別子（ＴＡＩ；  Ｔｒａｃｋｉｎｇ  Ａｒｅａ  Ｉｄｅｎｔｉｆｉｅｒ）、ランダムアクセス設定情報（送信タイミングタイマーなど）、当該セルにおける共通無線リソース設定情報、周辺セル情報、上りリンクアクセス制限情報などが通知される。
【００３４】
下りリンクリファレンスシグナルは、その用途によって複数のタイプに分類される。例えば、セル固有ＲＳ（Ｃｅｌｌ−ｓｐｅｃｉｆｉｃ  ｒｅｆｅｒｅｎｃｅ  ｓｉｇｎａｌｓ）は、セル毎に所定の電力で送信されるパイロットシグナルであり、所定の規則に基づいて周波数領域および時間領域で周期的に繰り返される下りリンクリファレンスシグナルである。端末装置は、セル固有ＲＳを受信することでセル毎の受信品質を測定する。また、端末装置は、セル固有ＲＳと同時に送信される物理下りリンク制御チャネル、または物理下りリンク共用チャネルの復調のための参照用の信号としてもセル固有ＲＳを使用する。セル固有ＲＳに使用される系列は、セル毎に識別可能な系列が用いられる。
【００３５】
また、下りリンクリファレンスシグナルは下りリンクの伝搬路変動の推定にも用いられる。伝搬路変動の推定に用いられる下りリンクリファレンスシグナルのことをチャネル状態情報リファレンスシグナル（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ；ＣＳＩ−ＲＳ）と称する。また、端末装置に対して個別に設定される下りリンクリファレンスシグナルは、ＵＥ  ｓｐｅｃｉｆｉｃ  Ｒｅｆｅｒｅｎｃｅ  Ｓｉｇｎａｌｓ（ＵＲＳ）、Ｄｅｍｏｄｕｌａｔｉｏｎ  Ｒｅｆｅｒｅｎｃｅ  Ｓｉｇｎａｌ（ＤＭＲＳ）またはＤｅｄｉｃａｔｅｄ  ＲＳ（ＤＲＳ）と称され、拡張物理下りリンク制御チャネル、または物理下りリンク共用チャネルを復調するときのチャネルの伝搬路補償処理のために参照される。
【００３６】
物理下りリンク制御チャネル（ＰＤＣＣＨ；  Ｐｈｙｓｉｃａｌ  Ｄｏｗｎｌｉｎｋ  Ｃｏｎｔｒｏｌ  Ｃｈａｎｎｅｌ）は、各サブフレームの先頭からいくつかのＯＦＤＭシンボル（例えば１〜４ＯＦＤＭシンボル）で送信される。拡張物理下りリンク制御チャネル（ＥＰＤＣＣＨ；  Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）は、物理下りリンク共用チャネルＰＤＳＣＨが配置されるＯＦＤＭシンボルに配置される物理下りリンク制御チャネルである。ＰＤＣＣＨまたはＥＰＤＣＣＨは、端末装置に対して基地局装置のスケジューリングに従った無線リソース割り当て情報や、送信電力の増減の調整量を指示する情報を通知する目的で使用される。以降、単に物理下りリンク制御チャネル（ＰＤＣＣＨ）と記載した場合、特に明記がなければ、ＰＤＣＣＨとＥＰＤＣＣＨの両方の物理チャネルを意味する。
【００３７】
端末装置は、下りリンクデータや上位層制御情報であるレイヤ２メッセージおよびレイヤ３メッセージ（ページング、ハンドオーバーコマンドなど）を送受信する前に、自装置宛の物理下りリンク制御チャネルを監視（モニタ）し、自装置宛の物理下りリンク制御チャネルを受信することで、送信時には上りリンクグラント、受信時には下りリンクグラント（下りリンクアサインメント）と呼ばれる無線リソース割り当て情報を物理下りリンク制御チャネルから取得する必要がある。なお、物理下りリンク制御チャネルは、上述したＯＦＤＭシンボルで送信される以外に、基地局装置から端末装置に対して個別（ｄｅｄｉｃａｔｅｄ）に割り当てられるリソースブロックの領域で送信されるように構成することも可能である。
【００３８】
物理上りリンク制御チャネル（ＰＵＣＣＨ；  Ｐｈｙｓｉｃａｌ  Ｕｐｌｉｎｋ  Ｃｏｎｔｒｏｌ  Ｃｈａｎｎｅｌ）は、物理下りリンク共用チャネルで送信された下りリンクデータの受信確認応答（ＡＣＫ／ＮＡＣＫ；Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクの伝搬路（チャネル状態）情報（ＣＳＩ；Ｃｈａｎｎｅｌ  Ｓｔａｔｅ  Ｉｎｆｏｒｍａｔｉｏｎ）、上りリンクの無線リソース割り当て要求（無線リソース要求、スケジューリングリクエスト（ＳＲ；Ｓｃｈｅｄｕｌｉｎｇ  Ｒｅｑｕｅｓｔ））を行なうために使用される。
【００３９】
ＣＳＩは、受信品質指標（ＣＱＩ：Ｃｈａｎｎｅｌ  Ｑｕａｌｉｔｙ  Ｉｎｄｉｃａｔｏｒ）、プレコーディング行列指標（ＰＭＩ：Ｐｒｅｃｏｄｉｎｇ  Ｍａｔｒｉｘ  Ｉｎｄｉｃａｔｏｒ）、プレコーディングタイプ指標（ＰＴＩ：Ｐｒｅｃｏｄｉｎｇ  Ｔｙｐｅ  Ｉｎｄｉｃａｔｏｒ）、ランク指標（ＲＩ：Ｒａｎｋ  Ｉｎｄｉｃａｔｏｒ）を含み、それぞれ、好適な変調方式および符号化率、好適なプレコーディング行列、好適なＰＭＩのタイプ、好適なランクを指定する（表現する）ために用いられることができる。各Ｉｎｄｉｃａｔｏｒは、Ｉｎｄｉｃａｔｉｏｎと表記されてもよい。また、ＣＱＩおよびＰＭＩには、１つのセル内のすべてのリソースブロックを用いた送信を想定したワイドバンドＣＱＩおよびＰＭＩと、１つのセル内の一部の連続するリソースブロック（サブバンド）を用いた送信を想定したサブバンドＣＱＩおよびＰＭＩとに分類される。また、ＰＭＩは、１つのＰＭＩで１つの好適なプレコーディング行列を表現する通常のタイプのＰＭＩの他に、第１ＰＭＩと第２ＰＭＩの２種類のＰＭＩを用いて１つの好適なプレコーディング行列を表現するタイプのＰＭＩが存在する。
【００４０】
物理下りリンク共用チャネル（ＰＤＳＣＨ；  Ｐｈｙｓｉｃａｌ  Ｄｏｗｎｌｉｎｋ  Ｓｈａｒｅｄ  Ｃｈａｎｎｅｌ）は、下りリンクデータの他、ページングや物理報知情報チャネルで通知されない報知情報（システムインフォメーション）をレイヤ３メッセージとして端末装置に通知するためにも使用される。物理下りリンク共用チャネルの無線リソース割り当て情報は、物理下りリンク制御チャネルで示される。物理下りリンク共用チャネルは物理下りリンク制御チャネルが送信されるＯＦＤＭシンボル以外のＯＦＤＭシンボルに配置されて送信される。すなわち、物理下りリンク共用チャネルと物理下りリンク制御チャネルは１サブフレーム内で時分割多重されている。
【００４１】
物理上りリンク共用チャネル（ＰＵＳＣＨ；  Ｐｈｙｓｉｃａｌ  Ｕｐｌｉｎｋ  Ｓｈａｒｅｄ  Ｃｈａｎｎｅｌ）は、主に上りリンクデータと上りリンク制御情報を送信し、ＣＳＩやＡＣＫ／ＮＡＣＫなどの上りリンク制御情報を含めることも可能である。また、上りリンクデータの他、上位層制御情報であるレイヤ２メッセージおよびレイヤ３メッセージを端末装置から基地局装置に通知するためにも使用される。また、下りリンクと同様に物理上りリンク共用チャネルの無線リソース割り当て情報は、物理下りリンク制御チャネルで示される。
【００４２】
上りリンクリファレンスシグナル（上りリンク参照信号；Ｕｐｌｉｎｋ  Ｒｅｆｅｒｅｎｃｅ  Ｓｉｇｎａｌ、上りリンクパイロット信号、上りリンクパイロットチャネルとも呼称する）は、基地局装置が、物理上りリンク制御チャネルＰＵＣＣＨおよび／または物理上りリンク共用チャネルＰＵＳＣＨを復調するために使用する復調参照信号（ＤＭＲＳ；Ｄｅｍｏｄｕｌａｔｉｏｎ  Ｒｅｆｅｒｅｎｃｅ  Ｓｉｇｎａｌ）と、基地局装置が、主に、上りリンクのチャネル状態を推定するために使用するサウンディング参照信号（ＳＲＳ；Ｓｏｕｎｄｉｎｇ  Ｒｅｆｅｒｅｎｃｅ  Ｓｉｇｎａｌ）が含まれる。また、サウンディング参照信号には、周期的に送信される周期的サウンディング参照信号（Ｐｅｒｉｏｄｉｃ  ＳＲＳ）と、基地局装置から指示されたときに送信される非周期的サウンディング参照信号（Ａｐｅｒｉｏｄｉｃ  ＳＲＳ）とがある。
【００４３】
物理ランダムアクセスチャネル（ＰＲＡＣＨ；  Ｐｈｙｓｉｃａｌ  Ｒａｎｄｏｍ  Ａｃｃｅｓｓ  Ｃｈａｎｎｅｌ）は、プリアンブル系列を通知（設定）するために使用されるチャネルであり、ガードタイムを有する。プリアンブル系列は、複数のシーケンスによって基地局装置へ情報を通知するように構成される。例えば、６４種類のシーケンスが用意されている場合、６ビットの情報を基地局装置へ示すことができる。物理ランダムアクセスチャネルは、端末装置の基地局装置へのアクセス手段として用いられる。
【００４４】
端末装置は、ＳＲに対する物理上りリンク制御チャネル未設定時の上りリンクの無線リソース要求のため、または、上りリンク送信タイミングを基地局装置の受信タイミングウィンドウに合わせるために必要な送信タイミング調整情報（タイミングアドバンス（Ｔｉｍｉｎｇ  Ａｄｖａｎｃｅ；ＴＡ）コマンドとも呼ばれる）を基地局装置に要求するためなどに物理ランダムアクセスチャネルを用いる。また、基地局装置は、端末装置に対して物理下りリンク制御チャネルを用いてランダムアクセス手順の開始を要求することもできる。
【００４５】
レイヤ３メッセージは、端末装置と基地局装置のＲＲＣ（無線リソース制御）層でやり取りされる制御平面（ＣＰ（Ｃｏｎｔｒｏｌ−ｐｌａｎｅ、Ｃ−Ｐｌａｎｅ））のプロトコルで取り扱われるメッセージであり、ＲＲＣシグナリングまたはＲＲＣメッセージと同義的に使用され得る。なお、制御平面に対し、ユーザデータ（上りリンクデータおよび下りリンクデータ）を取り扱うプロトコルのことをユーザ平面（ＵＰ（Ｕｓｅｒ−ｐｌａｎｅ、Ｕ−Ｐｌａｎｅ））と称する。ここで、物理層における送信データであるトランスポートブロックは、上位層におけるＣ−ＰｌａｎｅのメッセージとＵ−Ｐｌａｎｅのデータとを含む。なお、それ以外の物理チャネルは、詳細な説明は省略する。
【００４６】
基地局装置によって制御される各周波数の通信可能範囲（通信エリア）はセルとしてみなされる。このとき、基地局装置がカバーする通信エリアは周波数毎にそれぞれ異なる広さ、異なる形状であっても良い。また、カバーするエリアが周波数毎に異なっていてもよい。基地局装置の種別やセル半径の大きさが異なるセルが、同一の周波数および／または異なる周波数のエリアに混在して一つの通信システムを形成している無線ネットワークのことを、ヘテロジニアスネットワークと称する。
【００４７】
端末装置は、セルの中を通信エリアとみなして動作する。端末装置が、あるセルから別のセルへ移動するときは、非無線接続時（非通信中）はセル再選択手順、無線接続時（通信中）はハンドオーバー手順によって別の適切なセルへ移動する。適切なセルとは、一般的に端末装置のアクセスが基地局装置から指定される情報に基づいて禁止されていないと判断したセルであって、かつ、下りリンクの受信品質が所定の条件を満足するセルのことを示す。
【００４８】
また、端末装置と基地局装置は、キャリア・アグリゲーションによって複数の異なる周波数バンド（周波数帯）の周波数（コンポーネントキャリア、または周波数帯域）を集約（アグリゲート、ａｇｇｒｅｇａｔｅ）して一つの周波数（周波数帯域）のように扱う技術を適用してもよい。コンポーネントキャリアには、上りリンクに対応する上りリンクコンポーネントキャリアと、下りリンクに対応する下りリンクコンポーネントキャリアとがある。本明細書において、周波数と周波数帯域は同義的に使用され得る。
【００４９】
例えば、キャリア・アグリゲーションによって周波数帯域幅が２０ＭＨｚのコンポーネントキャリアを５つ集約した場合、キャリア・アグリゲーションを可能な能力を持つ端末装置はこれらを１００ＭＨｚの周波数帯域幅とみなして送受信を行う。なお、集約するコンポーネントキャリアは連続した周波数であっても、全てまたは一部が不連続となる周波数であってもよい。例えば、使用可能な周波数バンドが８００ＭＨｚ帯、２ＧＨｚ帯、３．５ＧＨｚ帯である場合、あるコンポーネントキャリアが８００ＭＨｚ帯、別のコンポーネントキャリアが２ＧＨｚ帯、さらに別のコンポーネントキャリアが３．５ＧＨｚ帯で送信されていてもよい。
【００５０】
また、同一周波数帯の連続または不連続の複数のコンポーネントキャリアを集約することも可能である。各コンポーネントキャリアの周波数帯域幅は端末装置の受信可能周波数帯域幅（例えば２０ＭＨｚ）よりも狭い周波数帯域幅（例えば５ＭＨｚや１０ＭＨｚ）であっても良く、集約する周波数帯域幅が各々異なっていても良い。周波数帯域幅は、後方互換性を考慮して従来のセルの周波数帯域幅のいずれかと等しいことが望ましいが、従来のセルの周波数帯域と異なる周波数帯域幅でも構わない。
【００５１】
また、後方互換性のないコンポーネントキャリア（キャリアタイプ）を集約してもよい。なお、基地局装置が端末装置に割り当てる（設定する、追加する）上りリンクコンポーネントキャリアの数は、下りリンクコンポーネントキャリアの数と同じか少ないことが望ましい。
【００５２】
無線リソース要求のための上りリンク制御チャネルの設定が行われる上りリンクコンポーネントキャリアと、当該上りリンクコンポーネントキャリアとセル固有接続される下りリンクコンポーネントキャリアから構成されるセルは、プライマリセル（ＰＣｅｌｌ：Ｐｒｉｍａｒｙ  ｃｅｌｌ）と称される。また、プライマリセル以外のコンポーネントキャリアから構成されるセルは、セカンダリセル（ＳＣｅｌｌ：Ｓｅｃｏｎｄａｒｙ  ｃｅｌｌ）と称される。端末装置は、プライマリセルでページングメッセージの受信、報知情報の更新の検出、初期アクセス手順、セキュリティ情報の設定などを行う一方、セカンダリセルではこれらを行わないでもよい。
【００５３】
プライマリセルは活性化（Ａｃｔｉｖａｔｉｏｎ）および不活性化（Ｄｅａｃｔｉｖａｔｉｏｎ）の制御の対象外であるが（つまり必ず活性化しているとみなされる）、セカンダリセルは活性化および不活性化という状態（ｓｔａｔｅ）を持ち、これらの状態の変更は、基地局装置から明示的に指定されるほか、コンポーネントキャリア毎に端末装置に設定されるタイマーに基づいて状態が変更される。プライマリセルとセカンダリセルとを合わせてサービングセル（在圏セル）と称する。
【００５４】
なお、キャリア・アグリゲーションは、複数のコンポーネントキャリア（周波数帯域）を用いた複数のセルによる通信であり、セル・アグリゲーションとも称される。なお、端末装置は、周波数毎にリレー局装置（またはリピーター）を介して基地局装置と無線接続されても良い。すなわち、本実施形態の基地局装置は、リレー局装置に置き換えることが出来る。
【００５５】
基地局装置は端末装置が該基地局装置で通信可能なエリアであるセルを周波数毎に管理する。１つの基地局装置が複数のセルを管理していてもよい。セルは、端末装置と通信可能なエリアの大きさ（セルサイズ）に応じて複数の種別に分類される。例えば、セルは、マクロセルとスモールセルに分類される。さらに、スモールセルは、そのエリアの大きさに応じて、フェムトセル、ピコセル、ナノセルに分類される。また、端末装置がある基地局装置と通信可能であるとき、その基地局装置のセルのうち、端末装置との通信に使用されるように設定されているセルは在圏セル（Ｓｅｒｖｉｎｇ  ｃｅｌｌ）であり、その他の通信に使用されないセルは周辺セル（Ｎｅｉｇｈｂｏｒｉｎｇ  ｃｅｌｌ）と称される。
【００５６】
図３および図４を用いてデュアルコネクティビティの基本構造（アーキテクチャー）について説明する。図３および図４は、端末装置１が、複数の基地局装置２（図中では基地局装置２−１、基地局装置２−２で示す）と同時に接続していることを示している。基地局装置２−１はマクロセルを構成する基地局装置であり、基地局装置２−２はスモールセルを構成する基地局装置であるとする。このように、端末装置１が、複数の基地局装置２に属する複数のセルを用いて同時に接続することをデュアルコネクティビティと称する。各基地局装置２に属するセルは同じ周波数で運用されていてもよいし、異なる周波数で運用されていてもよい。
【００５７】
なお、キャリア・アグリゲーションは、複数のセルを一つの基地局装置２が管理し、各セルの周波数が異なるという点がデュアルコネクティビティと異なる。換言すると、キャリア・アグリゲーションは、一つの端末装置１と一つの基地局装置２とを、周波数が異なる複数のセルを介して接続させる技術であるのに対し、デュアルコネクティビティは、一つの端末装置１と複数の基地局装置２とを、周波数が同じまたは異なる複数のセルを介して接続させる技術である。
【００５８】
端末装置１と基地局装置２は、キャリア・アグリゲーションに適用される技術を、デュアルコネクティビティに対して適用することができる。例えば、端末装置１と基地局装置２は、プライマリセルおよびセカンダリセルの割り当て、活性化／不活性化などの技術をデュアルコネクティビティにより接続されるセルに対して適用してもよい。
【００５９】
図３および図４において、基地局装置２−１または基地局装置２−２は、ＭＭＥ３００とＳＧＷ４００とバックボーン回線で接続されている。ＭＭＥ３００は、ＭＭＥ（Ｍｏｂｉｌｉｔｙ  Ｍａｎａｇｅｍｅｎｔ  Ｅｎｔｉｔｙ）に対応する上位の制御局装置であり、端末装置１の移動性管理や認証制御（セキュリティ制御）および基地局装置２に対するユーザデータの経路を設定する役割などを持つ。ＳＧＷ４００は、Ｓｅｒｖｉｎｇ  Ｇａｔｅｗａｙ（Ｓ−ＧＷ）に対応する上位の制御局装置であり、ＭＭＥ３００によって設定された端末装置１へのユーザデータの経路に従ってユーザデータを伝送する役割などを持つ。
【００６０】
また、図３および図４において、基地局装置２−１または基地局装置２−２とＳＧＷ４００の接続経路は、ＳＧＷインターフェースＮ１０と称される。また、基地局装置２−１または基地局装置２−２とＭＭＥ３００の接続経路は、ＭＭＥインターフェースＮ２０と称される。また、基地局装置２−１と基地局装置２−２の接続経路は、基地局インターフェースＮ３０と称される。ＳＧＷインターフェースＮ１０は、ＥＵＴＲＡにおいてＳ１−Ｕインターフェースとも称される。また、ＭＭＥインターフェースＮ２０は、ＥＵＴＲＡにおいてＳ１−ＭＭＥインターフェースとも称される。また、基地局インターフェースＮ３０は、ＥＵＴＲＡにおいてＸ２インターフェースとも称される。
【００６１】
デュアルコネクティビティを実現するアーキテクチャーとして、図３のような構成をとることができる。図３において、基地局装置２−１とＭＭＥ３００は、ＭＭＥインターフェースＮ２０によって接続されている。また、基地局装置２−１とＳＧＷ４００は、ＳＧＷインターフェースＮ１０によって接続されている。また、基地局装置２−１は、基地局インターフェースＮ３０を介して、基地局装置２−２へＭＭＥ３００、および／またはＳＧＷ４００との通信経路を提供する。換言すると、基地局装置２−２は、基地局装置２−１を経由してＭＭＥ３００、および／またはＳＧＷ４００と接続されている。
【００６２】
また、デュアルコネクティビティを実現する別のアーキテクチャーとして、図４のような構成をとることができる。図４において、基地局装置２−１とＭＭＥ３００は、ＭＭＥインターフェースＮ２０によって接続されている。また、基地局装置２−１とＳＧＷ４００は、ＳＧＷインターフェースＮ１０によって接続されている。基地局装置２−１は、基地局インターフェースＮ３０を介して、基地局装置２−２へＭＭＥ３００との通信経路を提供する。換言すると、基地局装置２−２は、基地局装置２−１を経由してＭＭＥ３００と接続されている。また、基地局装置２−２は、ＳＧＷインターフェースＮ１０を介してＳＧＷ４００と接続されている。
【００６３】
なお、基地局装置２−２とＭＭＥ３００が、ＭＭＥインターフェースＮ２０によって直接接続されるような構成であってもよい。
【００６４】
図５は、本実施形態に係る基地局装置２−１および基地局装置２−２のブロック構成の一例を示す概略図である。基地局装置２−１および基地局装置２−２は、上位層（上位層制御情報通知部）５０１、制御部（基地局制御部）５０２、コードワード生成部５０３、下りリンクサブフレーム生成部５０４、ＯＦＤＭ信号送信部（下りリンク送信部）５０６、送信アンテナ（基地局送信アンテナ）５０７、受信アンテナ（基地局受信アンテナ）５０８、ＳＣ−ＦＤＭＡ信号受信部（ＣＳＩ受信部）５０９、上りリンクサブフレーム処理部５１０を有する。下りリンクサブフレーム生成部５０４は、下りリンク参照信号生成部５０５を有する。また、上りリンクサブフレーム処理部５１０は、上りリンク制御情報抽出部（ＣＳＩ取得部）５１１を有する。
【００６５】
図６は、本実施形態に係る端末装置１のブロック構成の一例を示す概略図である。端末装置１は、受信アンテナ（端末受信アンテナ）６０１、ＯＦＤＭ信号受信部（下りリンク受信部）６０２、下りリンクサブフレーム処理部６０３、トランスポートブロック抽出部（データ抽出部）６０５、制御部（端末制御部）６０６、上位層（上位層制御情報取得部）６０７、チャネル状態測定部（ＣＳＩ生成部）６０８、上りリンクサブフレーム生成部６０９、ＳＣ−ＦＤＭＡ信号送信部（ＵＣＩ送信部）６１１および６１２、送信アンテナ（端末送信アンテナ）６１３および６１４を有する。下りリンクサブフレーム処理部６０３は、下りリンク参照信号抽出部６０４を有する。また、上りリンクサブフレーム生成部６０９は、上りリンク制御情報生成部（ＵＣＩ生成部）６１０を有する。
【００６６】
まず、図５および図６を用いて、下りリンクデータの送受信の流れについて説明する。基地局装置２−１あるいは基地局装置２−２において、制御部５０２は、下りリンクにおける変調方式および符号化率などを示すＭＣＳ（Ｍｏｄｕｌａｔｉｏｎ  ａｎｄ  Ｃｏｄｉｎｇ  Ｓｃｈｅｍｅ）、データ送信に用いるＲＢを示す下りリンクリソース割り当て、ＨＡＲＱの制御に用いる情報（リダンダンシーバージョン、ＨＡＲＱプロセス番号、新データ指標）を保持し、これらに基づいてコードワード生成部５０３や下りリンクサブフレーム生成部５０４を制御する。上位層５０１から送られてくる下りリンクデータ（下りリンクトランスポートブロックとも称す）は、コードワード生成部５０３において、制御部５０２の制御の下で、誤り訂正符号化やレートマッチング処理などの処理が施され、コードワードが生成される。１つのセルにおける１つのサブフレームにおいて、最大２つのコードワードが同時に送信される。下りリンクサブフレーム生成部５０４では、制御部５０２の指示により、下りリンクサブフレームが生成される。まず、コードワード生成部５０３において生成されたコードワードは、ＰＳＫ（Ｐｈａｓｅ  Ｓｈｉｆｔ  Ｋｅｙｉｎｇ）変調やＱＡＭ（Ｑｕａｄｒａｔｕｒｅ  Ａｍｐｌｉｔｕｄｅ  Ｍｏｄｕｌａｔｉｏｎ）変調などの変調処理により、変調シンボル系列に変換される。また、変調シンボル系列は、一部のＲＢ内のＲＥにマッピングされ、プレコーディング処理によりアンテナポート毎の下りリンクサブフレームが生成される。このとき、上位層５０１から送られてくる送信データ系列は、上位層における制御情報（例えば専用（個別）ＲＲＣ（Ｒａｄｉｏ  Ｒｅｓｏｕｒｃｅ  Ｃｏｎｔｒｏｌ）シグナリング）である上位層制御情報を含む。また、下りリンク参照信号生成部５０５では、下りリンク参照信号が生成される。下りリンクサブフレーム生成部５０４は、制御部５０２の指示により、下りリンク参照信号を下りリンクサブフレーム内のＲＥにマッピングする。下りリンクサブフレーム生成部５０４で生成された下りリンクサブフレームは、ＯＦＤＭ信号送信部５０６においてＯＦＤＭ信号に変調され、送信アンテナ５０７を介して送信される。なお、ここではＯＦＤＭ信号送信部５０６と送信アンテナ５０７を一つずつ有する構成を例示しているが、複数のアンテナポートを用いて下りリンクサブフレームを送信する場合は、ＯＦＤＭ信号送信部５０６と送信アンテナ５０７とを複数有する構成であってもよい。また、下りリンクサブフレーム生成部５０４は、ＰＤＣＣＨやＥＰＤＣＣＨなどの物理層の下りリンク制御チャネルを生成して下りリンクサブフレーム内のＲＥにマッピングする能力も有することができる。複数の基地局装置（基地局装置２−１および基地局装置２−２）は、それぞれ個別の下りリンクサブフレームを送信する。
【００６７】
端末装置１では、受信アンテナ６０１を介して、ＯＦＤＭ信号受信部６０２においてＯＦＤＭ信号が受信され、ＯＦＤＭ復調処理が施される。下りリンクサブフレーム処理部６０３は、まずＰＤＣＣＨやＥＰＤＣＣＨなどの物理層の下りリンク制御チャネルを検出する。より具体的には、下りリンクサブフレーム処理部６０３は、ＰＤＣＣＨやＥＰＤＣＣＨが割り当てられ得る領域においてＰＤＣＣＨやＥＰＤＣＣＨが送信されたものとしてデコードし、予め付加されているＣＲＣ（Ｃｙｃｌｉｃ  Ｒｅｄｕｎｄａｎｃｙ  Ｃｈｅｃｋ）ビットを確認する（ブラインドデコーディング）。すなわち、下りリンクサブフレーム処理部６０３は、ＰＤＣＣＨやＥＰＤＣＣＨをモニタリングする。ＣＲＣビットが予め基地局装置から割り当てられたＩＤ（Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）、ＳＰＳ−Ｃ−ＲＮＴＩ（Ｓｅｍｉ  Ｐｅｒｓｉｓｔｅｎｔ  Ｓｃｈｅｄｕｌｉｎｇ―Ｃ−ＲＮＴＩ）など１つの端末に対して１つ割り当てられる端末固有識別子、あるいはＴｅｍｐｏｒａｌｙ  Ｃ−ＲＮＴＩ）と一致する場合、下りリンクサブフレーム処理部６０３は、ＰＤＣＣＨあるいはＥＰＤＣＣＨを検出できたものと認識し、検出したＰＤＣＣＨあるいはＥＰＤＣＣＨに含まれる制御情報を用いてＰＤＳＣＨを取り出す。制御部６０６は、制御情報に基づく下りリンクにおける変調方式および符号化率などを示すＭＣＳ、下りリンクデータ送信に用いるＲＢを示す下りリンクリソース割り当て、ＨＡＲＱの制御に用いる情報を保持し、これらに基づいて下りリンクサブフレーム処理部６０３やトランスポートブロック抽出部６０５などを制御する。より具体的には、制御部６０６は、下りリンクサブフレーム生成部５０４におけるＲＥマッピング処理や変調処理に対応するＲＥデマッピング処理や復調処理などを行うように制御する。受信した下りリンクサブフレームから取り出されたＰＤＳＣＨは、トランスポートブロック抽出部６０５に送られる。また、下りリンクサブフレーム処理部６０３内の下りリンク参照信号抽出部６０４は、下りリンクサブフレームから下りリンク参照信号を取り出す。トランスポートブロック抽出部６０５では、コードワード生成部５０３におけるレートマッチング処理、誤り訂正符号化に対応するレートマッチング処理、誤り訂正復号化などが施され、トランスポートブロックが抽出され、上位層６０７に送られる。トランスポートブロックには、上位層制御情報が含まれており、上位層６０７は上位層制御情報に基づいて制御部６０６に必要な物理層パラメータを知らせる。なお、複数の基地局装置２（基地局装置２−１および基地局装置２−２）は、それぞれ個別の下りリンクサブフレームを送信しており、端末装置１ではこれらを受信するため、上述の処理を複数の基地局装置２毎の下りリンクサブフレームに対して、それぞれ行うようにしてもよい。このとき、端末装置１は複数の下りリンクサブフレームが複数の基地局装置２から送信されていると認識してもよいし、認識しなくてもよい。認識しない場合、端末装置１は、単に複数のセルにおいて複数の下りリンクサブフレームが送信されていると認識するだけでもよい。
【００６８】
次に、下りリンク信号に対するＣＳＩの送受信の流れについて説明する。端末装置１では制御部６０６の指示の下で、下りリンク参照信号抽出部６０４で抽出された下りリンク参照信号がチャネル状態測定部６０８に送られ、チャネル状態測定部６０８においてチャネル状態および／または干渉が測定され、さらに測定されたチャネル状態および／または干渉に基づいて、ＣＳＩが算出される。端末装置１は、これらの処理を複数のセル毎の下りリンクサブフレームに対して、それぞれ行う。上りリンク制御情報生成部６１０では、算出されたＣＳＩを含むＰＵＣＣＨが生成される。上りリンクサブフレーム生成部６０９では、上位層６０７から送られる上りリンクデータを含むＰＵＳＣＨと、上りリンク制御情報生成部６１０において生成されるＰＵＣＣＨとが上りリンクサブフレーム内のＲＢにマッピングされ、上りリンクサブフレームが生成される。ここで、ＰＵＣＣＨおよびＰＵＣＣＨを含む上りリンクサブフレームは、コネクティビティグループ毎に生成される。なお、コネクティビティグループの詳細については後述するが、ここでは２つのコネクティビティグループを想定し、それぞれ、基地局装置２−１および基地局装置２−２に対応するものとする。１つのコネクティビティグループにおける上りリンクサブフレーム（例えば基地局装置２−１に送信される上りリンクサブフレーム）は、ＳＣ−ＦＤＭＡ信号送信部６１１において、ＳＣ−ＦＤＭＡ変調が施されＳＣ−ＦＤＭＡ信号が生成され、送信アンテナ６１３を介して送信される。他の１つのコネクティビティグループにおける上りリンクサブフレーム（例えば基地局装置２−２に送信される上りリンクサブフレーム）は、ＳＣ−ＦＤＭＡ信号送信部６１２において、ＳＣ−ＦＤＭＡ変調が施されＳＣ−ＦＤＭＡ信号が生成され、送信アンテナ６１４を介して送信される。また、２つ以上のコネクティビティグループにおける上りリンクサブフレームを、１つのサブフレームを用いて同時に送信することもできる。
【００６９】
基地局装置２−１および基地局装置２−２では、それぞれ１つのコネクティビティグループにおける上りリンクサブフレームを受信する。具体的には、受信アンテナ５０８を介して、ＳＣ−ＦＤＭＡ信号受信部５０９においてＳＣ−ＦＤＭＡ信号が受信され、ＳＣ−ＦＤＭＡ復調処理が施される。上りリンクサブフレーム処理部５１０では、制御部５０２の指示により、ＰＵＣＣＨがマッピングされたＲＢを抽出し、上りリンク制御情報抽出部５１１においてＰＵＣＣＨに含まれるＣＳＩを抽出する。抽出されたＣＳＩは制御部５０２に送られる。ＣＳＩは、制御部５０２による下りリンク送信パラメータ（ＭＣＳ、下りリンクリソース割り当て、ＨＡＲＱなど）の制御に用いられる。
【００７０】
図７は、コネクティビティグループの一例を示している。基地局装置２−１および基地局装置２−２と端末装置１とが、複数のサービングセル（セル＃０、セル＃１、セル＃２およびセル＃３）において通信を行っている。セル＃０は、プライマリセルであり、それ以外のセルであるセル＃１、セル＃２およびセル＃３はセカンダリセルである。４つのセルは、実際は異なる２つの基地局装置である基地局装置２−１および基地局装置２−２によりカバーされている（提供されている）。セル＃０とセル＃１は基地局装置２−１によってカバーされ、セル＃２とセル＃３は基地局装置２−２によってカバーされている。各サービングセルは、複数のグループに分類され、それぞれのグループをコネクティビティグループと呼称する。ここで、低速度のバックホールを跨ぐサービングセルを異なるグループに分類し、高速度のバックホールを用いることができるサービングセル、あるいは、同一の装置で提供されるためにバックホールを用いる必要がないサービングセルを、同一のグループに分類してもよい。プライマリセルが属すコネクティビティグループのサービングセルをマスターセル、他のコネクティビティグループのサービングセルをアシスタントセルと呼ぶことができる。また、各コネクティビティグループの中の１つのサービングセル（例えばコネクティビティグループの中でセルインデクスが最小であるサービングセル）は、リードセルと呼ぶことができる。なお、コネクティビティ内の各サービングセルは、異なるキャリア周波数のコンポーネントキャリアを有している。一方、異なるコネクティビティグループのサービングセルは、互いに異なるキャリア周波数のコンポーネントキャリアを有することもできるし、同じキャリア周波数のコンポーネントキャリアを有することもできる（同一のキャリア周波数を設定可能である）。例えば、セル＃１が有する下りリンクコンポーネントキャリアおよび上りリンクコンポーネントキャリアのキャリア周波数は、セル＃０のそれらとは異なる。一方、セル＃２が備える下りリンクコンポーネントキャリアおよび上りリンクコンポーネントキャリアのキャリア周波数は、セル＃０のそれらとは異なってもよいし、同じでもよい。また、ＳＲはコネクティビティグループ毎に送信されることが好ましい。
【００７１】
なお、端末装置１と基地局装置２は、サービングセルをグループ化する方法として、例えば、下記の（１）から（５）の何れかの方法を用いることができる。尚、（１）から（５）と別の方法を用いてコネクティビティグループを設定してもよい。
（１）各サービングセルには、コネクティビティ識別子の値が設定され、同一のコネクティビティ識別子の値が設定されたサービングセルをグループと見なす。尚、プライマリセルのコネクティビティ識別子の値は設定されず、所定の値（例えば、０）であるものとしてもよい。 
（２）各セカンダリセルには、コネクティビティ識別子の値が設定され、同一のコネクティビティ識別子の値が設定されたセカンダリセルをグループと見なす。また、コネクティビティ識別子の値が設定されなかったセカンダリセルはプライマリセルと同じグループと見なす。
（３）各セカンダリセルには、ＳＴＡＧ（ＳＣｅｌｌ  Ｔｉｍｉｎｇ  Ａｄｖａｎｃｅｄ  Ｇｒｏｕｐ）識別子の値が設定され、同一のＳＴＡＧ識別子の値が設定されたセカンダリセルをグループと見なす。また、ＳＴＡＧ識別子が設定されなかったセカンダリセルはプライマリセルと同じグループと見なす。なお、このグループは、下りリンク受信に対する上りリンク送信のタイミング調整を行うためのグループと共用される。
（４）各セカンダリセルには、１から７のいずれかの値をセカンダリセルインデクス（サービングセルインデクス）として設定される。プライマリセルはサービングセルインデクスが０であるものとする。これらのサービングセルインデクスに基づいてグループ分けされる。例えば、セカンダリセルインデクスが１から４の場合プライマリセルと同じグループであると見なす一方、セカンダリセルインデクスが５から７の場合、プライマリセルとは異なるグループであると見なすことができる。
（５）各セカンダリセルには、１から７のいずれかの値をセカンダリセルインデクス（サービングセルインデクス）として設定される。プライマリセルはサービングセルインデクスが０であるものとする。また、基地局装置２から各グループに属するセルのサービングセルインデクスが通知される。
ここで、コネクティビティ識別子やＳＴＡＧ識別子やセカンダリセルインデクスは、専用ＲＲＣシグナリングを用いて、基地局装置２−１あるいは基地局装置２−２から端末装置１に設定されてもよい。
【００７２】
図８は、端末装置１のコネクティビティグループにおけるＣＳＩの生成と報告の一例を示している。基地局装置２−１および／または基地局装置２−２は、各サービングセルにおける下りリンク参照信号のパラメータを端末装置１に設定するとともに、提供する各サービングセルおいて下りリンク参照信号を送信する。端末装置１は、各サービングセルにおける下りリンク参照信号を受信し、チャネル測定および／または干渉測定を行う。なお、ここで言う下りリンク参照信号は、ＣＲＳと非ゼロ電力ＣＳＩ−ＲＳとゼロ電力ＣＳＩ−ＲＳとを含むことができる。好ましくは、端末装置１は非ゼロ電力ＣＳＩ−ＲＳを用いてチャネル測定を行い、ゼロ電力ＣＳＩ−ＲＳを用いて干渉測定を行う。さらに、チャネル測定結果と干渉測定結果とに基づき、好適なランクを示すＲＩや、好適なプレコーディング行列を示すＰＭＩや、参照リソースにおいて所要品質（例えばトランスポートブロック誤り率が０．１を超えない）を満たすような変調方式および符号化率に対応する最も大きいインデクスであるＣＱＩを算出する。
【００７３】
次に、端末装置１は、ＣＳＩを報告する。このとき、コネクティビティグループに属する各サービングセルのＣＳＩは、そのコネクティビティグループのセルにおいて、上りリンクリソース（ＰＵＣＣＨリソースまたはＰＵＳＣＨリソース）を用いて報告される。具体的には、あるサブフレームにおいて、セル＃０のＣＳＩとセル＃１のＣＳＩは、コネクティビティグループ＃０のリードセルでありプライマリセルでもあるセル＃０のＰＵＣＣＨを用いて送信される。また、あるサブフレームにおいて、セル＃０のＣＳＩとセル＃１のＣＳＩは、コネクティビティグループ＃０に属する何れか１つのセルのＰＵＳＣＨを用いて送信される。また、あるサブフレームにおいて、セル＃２のＣＳＩとセル＃３のＣＳＩは、コネクティビティグループ＃１のリードセルであるセル＃２のＰＵＣＣＨを用いて送信される。また、あるサブフレームにおいて、セル＃２のＣＳＩとセル＃３のＣＳＩは、コネクティビティグループ＃１に属する何れか１つのセルのＰＵＳＣＨを用いて送信される。いわば、各リードセルは、従来のキャリア・アグリゲーションにおけるプライマリセル機能の一部（例えばＰＵＣＣＨを用いたＣＳＩの送信）を果たすことができる。各コネクティビティグループ内のサービングセルに対するＣＳＩ報告は、キャリア・アグリゲーションにおけるサービングセルに対するＣＳＩ報告と同様の振る舞いをする。
【００７４】
あるコネクティビティグループに属するサービングセルの周期的ＣＳＩに対するＰＵＣＣＨリソースは、同じコネクティビティグループのリードセルに設定される。基地局装置１は、リードセルにおける周期的ＣＳＩに対するＰＵＣＣＨリソースを設定するための情報を、端末装置１に送信する。端末装置１は、リードセルにおける周期的ＣＳＩに対するＰＵＣＣＨリソースが設定するための情報を受信した場合は、該ＰＵＣＣＨリソースを用いて周期的ＣＳＩの報告を行なう。基地局装置１は、リードセル以外のセルにおける周期的ＣＳＩに対するＰＵＣＣＨリソースを設定するための情報を、端末装置１に送信しない。端末装置１は、リードセル以外のセルにおける周期的ＣＳＩに対するＰＵＣＣＨリソースが設定するための情報を受信した場合は、エラーハンドリングを行ない、該ＰＵＣＣＨリソースを用いて周期的ＣＳＩの報告を行なわない。
【００７５】
図９は、周期的ＣＳＩ報告の一例を示している。周期的ＣＳＩは、専用ＲＲＣシグナリングで設定された周期のサブフレームにおいて、周期的に端末装置１から基地局装置２にフィードバックされる。また、周期的ＣＳＩは通常、ＰＵＣＣＨを用いて送信される。周期的ＣＳＩのパラメータ（サブフレームの周期および基準サブフレームから開始サブフレームへのオフセット、報告モード）は、サービングセル毎に個別に設定されることができる。周期的ＣＳＩに対するＰＵＣＣＨリソースのインデクスは、コネクティビティグループ毎に設定されることができる。ここでは、セル＃０、＃１、＃２および＃３における周期が、それぞれＴ１、Ｔ２、Ｔ３およびＴ４と設定されているものとする。端末装置１は、コネクティビティグループ＃０のリードセルでありプライマリセルでもあるセル＃０のＰＵＣＣＨリソースを用いて、セル＃０の周期的ＣＳＩをＴ１周期のサブフレームで上りリンク送信するとともに、セル＃１の周期的ＣＳＩをＴ２周期のサブフレームで上りリンク送信する。端末装置１は、コネクティビティグループ＃１のリードセルであるセル＃２のＰＵＣＣＨリソースを用いて、セル＃２の周期的ＣＳＩをＴ３周期のサブフレームで上りリンク送信するとともに、セル＃３の周期的ＣＳＩをＴ４周期のサブフレームで上りリンク送信する。１つのコネクティビティグループ内の複数のサービング間で周期的ＣＳＩ報告が衝突（１つのサブフレームにおいて複数の周期的ＣＳＩ報告が発生）した場合、１つの周期的ＣＳＩ報告だけを送信し、その他の周期的ＣＳＩ報告はドロップする（送信しない）。
【００７６】
衝突が発生した場合に、いずれの周期的ＣＳＩ報告を送信し、いずれの周期的ＣＳＩ報告をドロップするかの決定方法として、端末装置１は、次に示す方法を用いることができる。すなわち、それぞれのコネクティビティグループにおいて、周期的ＣＳＩ報告は下記の（Ａ１）から（Ａ１２）に従ってドロップされる。好ましくは、（Ａ１）から昇順に各判定が行われ、条件が合致する処理が順次行われる。
（Ａ１）１つのサービングセルのＰＵＣＣＨ報告タイプ３、５または６の周期的ＣＳＩ報告と、同じサービングセルのＰＵＣＣＨ報告タイプ１、１ａ、２、２ａ、２ｂ、２ｃまたは４の周期的ＣＳＩ報告との衝突の場合、後者の周期的ＣＳＩ報告（ＰＵＣＣＨ報告タイプ１、１ａ、２、２ａ、２ｂ、２ｃまたは４）は低優先度であり、ドロップされる。
（Ａ２）１つのサービングセル、かつ送信モード１０が設定されている端末において、同じ優先度のＰＵＣＣＨ報告タイプの同じサービングセルの周期的ＣＳＩ報告の衝突であり、それらの周期的ＣＳＩ報告が異なるＣＳＩプロセスに対応する場合、最小のＣＳＩプロセスインデクスのＣＳＩプロセス以外、すべてのＣＳＩプロセスに対する周期的ＣＳＩ報告はドロップされる。
（Ａ３）もし端末装置１が１つより多くのサービングセルが設定されると、その端末装置１は任意のサブフレームにおいて１つだけのサービングセルの周期的ＣＳＩ報告を送信する。あるサブフレームにおいて、１つのサービングセルのＰＵＣＣＨ報告タイプ３、５、６または２ａの周期的ＣＳＩ報告と、他のサービングセルのＰＵＣＣＨ報告タイプ１、１ａ、２、２ｂ、２ｃまたは４の周期的ＣＳＩ報告との衝突の場合、後者の周期的ＣＳＩ報告（ＰＵＣＣＨ報告タイプ１、１ａ、２、２ｂ、２ｃまたは４）は低優先度であり、ドロップされる。あるサブフレームにおいて、１つのサービングセルのＰＵＣＣＨ報告タイプ２、２ｂ、２ｃまたは４の周期的ＣＳＩ報告と、他のサービングセルのＰＵＣＣＨ報告タイプ１または１ａの周期的ＣＳＩ報告との衝突の場合、後者のＰＵＣＣＨ報告タイプ１または１ａの周期的ＣＳＩ報告は低優先度であり、ドロップされる。
（Ａ４）あるサブフレームおよび端末装置１に送信モード１から９が設定されている複数のサービングセルにおいて、同じ優先度のＰＵＣＣＨ報告タイプの異なるこれらのサービングセルの周期的ＣＳＩ報告の衝突の場合、最小のサービングセルインデクスのサービングセル以外、すべてのこれらサービングセルに対する周期的ＣＳＩ報告はドロップされる。
（Ａ５）あるサブフレームおよび端末装置１に送信モード１０が設定されている複数のサービングセルにおいて、同じ優先度のＰＵＣＣＨ報告タイプの異なるサービングセルの周期的ＣＳＩ報告の衝突であり、それらの周期的ＣＳＩ報告が同じＣＳＩプロセスインデクスのＣＳＩプロセスに対応する場合、最小のサービングセルインデクスのサービングセル以外、すべてのサービングセルの周期的ＣＳＩ報告はドロップされる。
（Ａ６）あるサブフレームおよび端末装置１に送信モード１０が設定されている複数のサービングセルにおいて、同じ優先度のＰＵＣＣＨ報告タイプの異なるサービングセルの周期的ＣＳＩ報告の衝突であり、それらの周期的ＣＳＩ報告が異なるＣＳＩプロセス識別子のＣＳＩプロセスに対応する場合、最小のＣＳＩプロセスインデクスのＣＳＩプロセスに対応する周期的ＣＳＩ報告以外、すべてのサービングセルの周期的ＣＳＩ報告はドロップされる。
（Ａ７）あるサブフレームにおいて、端末装置１に送信モード１から９が設定されているあるサービングセルの周期的ＣＳＩ報告と、端末装置１に送信モード１０が設定されている異なるサービングセルのＣＳＩプロセスに対応する周期的ＣＳＩ報告の衝突であり、それらのサービングセルの周期的ＣＳＩ報告が同じ優先度のＰＵＣＣＨ報告タイプである場合、その異なるサービングセルにおけるＣＳＩプロセスインデクスが１より大きいＣＳＩプロセスに対応する周期的ＣＳＩ報告はドロップされる。
（Ａ８）あるサブフレームにおいて、端末装置１に送信モード１から９が設定されているあるサービングセルの周期的ＣＳＩ報告と、端末装置１に送信モード１０が設定されている異なるサービングセルのＣＳＩプロセスが１のＣＳＩプロセスに対応する周期的ＣＳＩ報告との衝突であり、それらのサービングセルの周期的ＣＳＩ報告が同じ優先度のＰＵＣＣＨ報告タイプである場合、最大のサービングセルインデクスのサービングセルのＣＳＩ報告はドロップされる。
（Ａ９）周期的ＣＳＩとＨＡＲＱ−ＡＣＫとの衝突時は、別途定められた所定のルールに基づいて周期的ＣＳＩがドロップされる。
（Ａ１０）あるＰＵＣＣＨ報告タイプの周期的ＣＳＩ報告は、ＰＵＣＣＨフォーマット２、２ａあるいは２ｂで送信されなければならない。
（Ａ１１）もし端末装置１がＰＵＳＣＨとＰＵＣＣＨの同時送信が設定されていない、あるいはもし端末装置１がＰＵＳＣＨとＰＵＣＣＨの同時送信が設定されておりＰＵＳＣＨを送信しなければ、周期的ＣＳＩと陽性ＳＲが同じサブフレームにおいて衝突する場合、ＣＳＩはドロップされる。ただし、もし端末装置１がＰＵＣＣＨフォーマット３を用いたＨＡＲＱ−ＡＣＫと周期的ＣＳＩの同時送信が設定されており、ＨＡＲＱ−ＡＣＫと周期的ＣＳＩと陽性／陰性ＳＲが同じサブフレームにおいて衝突する場合、ＰＵＣＣＨフォーマット３でＨＡＲＱ−ＡＣＫと周期的ＣＳＩと陽性／陰性ＳＲを同時に送信し、周期的ＣＳＩはドロップされない。
（Ａ１２）周期的ＣＳＩと非周期的ＣＳＩとの衝突時は、周期的ＣＳＩがドロップされる。
【００７７】
なお、ここで、ＰＵＣＣＨ報告タイプ１、１ａ、２、２ａ、２ｂ、２ｃ、３、４、５および６は、それぞれ、端末装置１が選択したサブバンドにおけるサブバンドＣＱＩ、サブバンドＣＱＩおよび第２ＰＭＩ、ワイドバンドＣＱＩおよびＰＭＩ、ワイドバンドＰＭＩ、ワイドバンドＣＱＩおよびＰＭＩ、ワイドバンドＣＱＩおよびＰＭＩ、ＲＩ、ワイドバンドＣＱＩ、ＲＩとワイドバンドＰＭＩ、およびＲＩとＰＴＩのフィードバックに用いられる。また、送信モード１から１０は下りリンクの送信モードであり、それぞれ、単一アンテナポート送信、送信ダイバーシチ送信、高遅延ＣＤＤ（Ｃｙｃｌｉｃ  Ｄｅｌａｙ  Ｄｉｖｅｒｓｉｔｙ）送信、閉ループ空間多重送信、ＭＵ−ＭＩＭＯ（Ｍｕｌｔｉ−Ｕｓｅｒ  Ｍｕｌｔｉｐｌｅ  Ｉｎｐｕｔ  Ｍｕｌｔｉｐｌｅ  Ｏｕｔｐｕｔ）送信、単一レイヤ閉ループ空間多重送信、単一アンテナポート送信、最大２レイヤ送信、最大８レイヤ送信、および最大８レイヤ送信（最大８レイヤ送信および／または協調マルチポイント通信）に対応する。また、送信モード１−９が設定されている１つのサービングセルに１つのＣＳＩプロセスが設定可能であり、送信モード１０が設定されている１つのサービングセルに１つ以上のＣＳＩプロセスが設定可能であり、ＣＳＩプロセス毎に周期的ＣＳＩ報告が行われる。このとき、各ＣＳＩプロセスは、ＣｏＭＰ（Ｃｏｏｒｄｉｎａｔｅｄ  Ｍｕｌｔｉｐｌｅ  Ｐｏｉｎｔ）送信のための各送信点に対応し、それぞれ異なるＣＳＩプロセス識別子が割り振られる。また、ＰＵＣＣＨフォーマット２、２ａあるいは２ｂは周期的ＣＳＩをフィードバックするためのＰＵＣＣＨのフォーマットである。また、ＰＵＣＣＨフォーマット３は、ＨＡＲＱ−ＡＣＫをフィードバックするためのＰＵＣＣＨのフォーマットである。
【００７８】
衝突が発生した場合に、いずれの周期的ＣＳＩ報告を送信し、いずれの周期的ＣＳＩ報告をドロップするかの他の決定方法として、端末装置１は、下記の（Ｂ１）から（Ｂ１２）を用いることができる。好ましくは、（Ｂ１）から昇順に各判定が行われ、条件が合致する処理が順次行われる。
（Ｂ１）１つのサービングセルのＰＵＣＣＨ報告タイプ３、５または６の周期的ＣＳＩ報告と、同じサービングセルのＰＵＣＣＨ報告タイプ１、１ａ、２、２ａ、２ｂ、２ｃまたは４の周期的ＣＳＩ報告との衝突の場合、後者の周期的ＣＳＩ報告（ＰＵＣＣＨ報告タイプ１、１ａ、２、２ａ、２ｂ、２ｃまたは４）は低優先度であり、ドロップされる。
（Ｂ２）１つのサービングセル、かつ送信モード１０が設定されている端末装置１において、同じ優先度のＰＵＣＣＨ報告タイプの同じサービングセルの周期的ＣＳＩ報告の衝突であり、それらの周期的ＣＳＩ報告が異なるＣＳＩプロセスに対応する場合、最小のＣＳＩプロセスインデクスのＣＳＩプロセス以外、すべてのＣＳＩプロセスに対する周期的ＣＳＩ報告はドロップされる。
（Ｂ３）もし端末装置１が１つより多くのサービングセルが設定されると、その端末装置１は任意のサブフレームにおいてコネクティビティグループ毎に１つだけのサービングセルの周期的ＣＳＩ報告を送信する。あるサブフレームにおいて、あるコネクティビティグループの１つのサービングセルのＰＵＣＣＨ報告タイプ３、５、６または２ａの周期的ＣＳＩ報告と、同じコネクティビティグループの他のサービングセルのＰＵＣＣＨ報告タイプ１、１ａ、２、２ｂ、２ｃまたは４の周期的ＣＳＩ報告との衝突の場合、後者の周期的ＣＳＩ報告（ＰＵＣＣＨ報告タイプ１、１ａ、２、２ｂ、２ｃまたは４）は低優先度であり、ドロップされる。あるサブフレームにおいて、あるコネクティビティグループの１つのサービングセルのＰＵＣＣＨ報告タイプ２、２ｂ、２ｃまたは４の周期的ＣＳＩ報告と、同じコネクティビティグループの他のサービングセルのＰＵＣＣＨ報告タイプ１または１ａの周期的ＣＳＩ報告との衝突の場合、後者のＰＵＣＣＨ報告タイプ１または１ａの周期的ＣＳＩ報告は低優先度であり、ドロップされる。
（Ｂ４）あるサブフレームおよび端末装置１に送信モード１から９が設定されている同じコネクティビティグループの複数のサービングセルにおいて、同じ優先度のＰＵＣＣＨ報告タイプの異なるこれらのサービングセルの周期的ＣＳＩ報告の衝突の場合、そのコネクティビティグループで最小のサービングセルインデクスのサービングセル以外、そのコネクティビティグループにおけるすべてのこれらサービングセルに対する周期的ＣＳＩ報告はドロップされる。
（Ｂ５）あるサブフレームおよび端末装置１に送信モード１０が設定されている複数のサービングセルにおいて、同じ優先度のＰＵＣＣＨ報告タイプの同じコネクティビティグループの異なるサービングセルの周期的ＣＳＩ報告の衝突であり、それらの周期的ＣＳＩ報告が同じＣＳＩプロセスインデクスのＣＳＩプロセスに対応する場合、そのコネクティビティグループで最小のサービングセルインデクスのサービングセル以外、そのコネクティビティグループにおけるすべてのサービングセルの周期的ＣＳＩ報告はドロップされる。
（Ｂ６）あるサブフレームおよび端末装置１に送信モード１０が設定されている複数のサービングセルにおいて、同じ優先度のＰＵＣＣＨ報告タイプの同じコネクティビティグループの異なるサービングセルの周期的ＣＳＩ報告の衝突であり、それらのＣＳＩ報告が異なるＣＳＩプロセス識別子のＣＳＩプロセスに対応する場合、そのコネクティビティグループで最小のＣＳＩプロセスインデクスのＣＳＩプロセスに対応する周期的ＣＳＩ報告以外、そのコネクティビティグループにおけるすべてのサービングセルの周期的ＣＳＩ報告はドロップされる。
（Ｂ７）あるサブフレームにおいて、端末装置１に送信モード１から９が設定されており、あるコネクティビティグループに属するあるサービングセルのＣＳＩ報告と、端末装置１に送信モード１０が設定されており同じコネクティビティグループに属する異なるサービングセルのＣＳＩプロセスに対応する周期的ＣＳＩ報告の衝突であり、それらのサービングセルの周期的ＣＳＩ報告が同じ優先度のＰＵＣＣＨ報告タイプである場合、そのコネクティビティグループのその異なるサービングセルにおけるＣＳＩプロセスインデクスが１より大きいＣＳＩプロセスに対応する周期的ＣＳＩ報告はドロップされる。
（Ｂ８）あるサブフレームにおいて、端末装置１に送信モード１から９が設定されており、あるコネクティビティグループに属するあるサービングセルの周期的ＣＳＩ報告と、端末装置１に送信モード１０が設定されており同じコネクティビティグループに属する異なるサービングセルのＣＳＩプロセスが１のＣＳＩプロセスに対応する周期的ＣＳＩ報告との衝突であり、それらのサービングセルの周期的ＣＳＩ報告が同じ優先度のＰＵＣＣＨ報告タイプである場合、そのコネクティビティグループで最大のサービングセルインデクスのサービングセルの周期的ＣＳＩ報告はドロップされる。
（Ｂ９）ＣＳＩとＨＡＲＱ−ＡＣＫとの衝突時は、別途定められた所定のルールに基づいてＣＳＩがドロップされる。
（Ｂ１０）あるＰＵＣＣＨ報告タイプのＣＳＩ報告は、ＰＵＣＣＨフォーマット２、２ａあるいは２ｂで送信されなければならない。
（Ｂ１１）もし端末装置１がＰＵＳＣＨとＰＵＣＣＨの同時送信が設定されていない、あるいはもし端末装置１がＰＵＳＣＨとＰＵＣＣＨの同時送信が設定されておりＰＵＳＣＨを送信しなければ、同じコネクティビティグループにおけるＣＳＩと陽性ＳＲが同じサブフレームにおいて衝突する場合、ＣＳＩはドロップされる。ただし、もし端末装置１が、あるコネクティビティグループにおけるＰＵＣＣＨフォーマット３を用いたＨＡＲＱ−ＡＣＫと周期的ＣＳＩの同時送信が設定されており、そのコネクティビティグループに対するＨＡＲＱ−ＡＣＫと周期的ＣＳＩと陽性／陰性ＳＲが同じサブフレームにおいて衝突する場合、そのコネクティビティグループにおけるＰＵＣＣＨフォーマット３でそのコネクティビティグループに対するＨＡＲＱ−ＡＣＫと周期的ＣＳＩと陽性／陰性ＳＲを同時に送信し、周期的ＣＳＩはドロップされない。
（Ｂ１２）あるコネクティビティグループに対する周期的ＣＳＩと同じコネクティビティグループに対する非周期的ＣＳＩとの衝突時は、そのコネクティビティグループに対する周期的ＣＳＩがドロップされる。
【００７９】
上記（Ａ９）あるいは（Ｂ９）のように、周期的ＣＳＩとＨＡＲＱ−ＡＣＫが衝突した場合は別途定められる所定ルールに従う。所定ルールとしては、（Ｃ１）または（Ｃ２）に示すルールを用いることができる。
（Ｃ１）一つのサービングセルが設定され、ＰＵＣＣＨフォーマット３が設定されていない端末装置１に対して、周期的ＣＳＩ報告とＨＡＲＱ−ＡＣＫとがＰＵＳＣＨを送信しない同じサブフレームにおいて衝突する場合、もし上位層において設定されるＨＡＲＱ−ＡＣＫと周期的ＣＱＩの同時送信に関する第１のパラメータが真にセットされているなら、周期的ＣＳＩ報告はＨＡＲＱ−ＡＣＫとＰＵＣＣＨにおいて多重され、真にセットされていなければドロップされる。
（Ｃ２）一つより多いサービングセルが設定されている端末装置１に対して、周期的ＣＳＩ報告とＨＡＲＱ−ＡＣＫとがＰＵＳＣＨを送信しない同じサブフレームにおいて衝突する場合、もし上位層において設定されるＨＡＲＱ−ＡＣＫと周期的ＣＱＩの同時送信に関する第１のパラメータが真にセットされていて、もしＨＡＲＱ−ＡＣＫがプライマリセルのみにおけるＰＤＳＣＨ送信やＳＰＳリリースを示すＰＤＣＣＨ／ＥＰＤＣＣＨに対応するなら、周期的ＣＳＩ報告は、ＰＵＣＣＨフォーマット２／２ａ／２ｂを用いてＰＵＣＣＨにおいてＨＡＲＱ−ＡＣＫと多重される。さもなければ、もしその端末装置１がＰＵＣＣＨフォーマット３が設定されており、もし上位層において設定されるＨＡＲＱ−ＡＣＫと周期的ＣＱＩの同時送信に関する第２のパラメータが真にセットされていて、もしＰＵＣＣＨフォーマット３に関連する手続きでＰＵＣＣＨリソースが決定されており、もし、通常の場合あるいは空間的にバンドルされた場合においてＨＡＲＱ−ＡＣＫとＳＲとその周期的ＣＳＩに対応するサブフレーム内の総ビット数が２２より大きくないなら、周期的ＣＳＩ報告は、ＰＵＣＣＨフォーマット３を用いてＰＵＣＣＨにおいてＨＡＲＱ−ＡＣＫと多重される。さもなければ、周期的ＣＳＩはドロップされる。
【００８０】
また、いずれの上りリンクリソース（ＰＵＣＣＨリソースまたはＰＵＳＣＨリソース）を用いて、周期的ＣＳＩ報告および／またはＨＡＲＱ−ＡＣＫを送信するかの決定方法として、端末装置１は、次に示す方法を用いることができる。すなわち、端末装置１は、それぞれのコネクティビティグループにおいて、下記の（Ｄ１）から（Ｄ６）の何れかに従って周期的ＣＳＩ報告および／またはＨＡＲＱ−ＡＣＫを送信する上りリンクリソース（ＰＵＣＣＨリソースまたはＰＵＳＣＨリソース）を決定する。
（Ｄ１）端末装置１に対して１つより多くのサービングセルが設定されており、ＰＵＳＣＨとＰＵＣＣＨの同時送信が設定されていない場合、サブフレームｎにおいて、もしあるコネクティビティグループに対する上りリンク制御情報が周期的ＣＳＩのみを含み、コネクティビティグループ内でＰＵＳＣＨが送信されない場合、そのコネクティビティグループ内のリードセルのＰＵＣＣＨで、上りリンク制御情報が送信される。
（Ｄ２）端末装置１に対して１つより多くのサービングセルが設定されており、ＰＵＳＣＨとＰＵＣＣＨの同時送信が設定されていない場合、サブフレームｎにおいて、もしあるコネクティビティグループに対する上りリンク制御情報が周期的ＣＳＩおよび／またはＨＡＲＱ−ＡＣＫを含み、コネクティビティグループ内のリードセルでＰＵＳＣＨが送信される場合、そのコネクティビティグループ内のリードセルのＰＵＳＣＨで、上りリンク制御情報が送信される。
（Ｄ３）端末装置１に対して１つより多くのサービングセルが設定されており、ＰＵＳＣＨとＰＵＣＣＨの同時送信が設定されていない場合、サブフレームｎにおいて、もしあるコネクティビティグループに対する上りリンク制御情報が周期的ＣＳＩおよび／またはＨＡＲＱ−ＡＣＫを含み、コネクティビティグループ内のリードセルでＰＵＳＣＨが送信されず、かつそのコネクティビティグループ内のリードセル以外の少なくとも１つのセカンダリセルでＰＵＳＣＨを送信する場合、そのコネクティビティグループ内で最小のセルインデクスのセカンダリセルのＰＵＳＣＨで、上りリンク制御情報が送信される。
（Ｄ４）端末装置１に対して１つより多くのサービングセルが設定されており、ＰＵＳＣＨとＰＵＣＣＨの同時送信が設定されている場合、サブフレームｎにおいて、もしあるコネクティビティグループに対する上りリンク制御情報が周期的ＣＳＩのみを含む場合、そのコネクティビティグループ内のリードセルのＰＵＣＣＨで上りリンク制御情報が送信される。
（Ｄ５）端末装置１に対して１つより多くのサービングセルが設定されており、ＰＵＳＣＨとＰＵＣＣＨの同時送信が設定されている場合、サブフレームｎにおいて、もしあるコネクティビティグループに対する上りリンク制御情報が周期的ＣＳＩおよびＨＡＲＱ−ＡＣＫを含み、そのコネクティビティグループ内のリードセルでＰＵＳＣＨが送信される場合、そのコネクティビティグループ内のリードセルのＰＵＣＣＨでＨＡＲＱ−ＡＣＫが送信され、そのコネクティビティグループ内のリードセルのＰＵＳＣＨで周期的ＣＳＩが送信される。
（Ｄ６）端末装置１に対して１つより多くのサービングセルが設定されており、ＰＵＳＣＨとＰＵＣＣＨの同時送信が設定されている場合、サブフレームｎにおいて、もしあるコネクティビティグループに対する上りリンク制御情報が周期的ＣＳＩおよびＨＡＲＱ−ＡＣＫを含み、そのコネクティビティグループ内のリードセルでＰＵＳＣＨが送信されず、同じコネクティビティグループ内の少なくとも１つの他のセカンダリセルでＰＵＳＣＨが送信される場合、そのコネクティビティグループ内のリードセルのＰＵＣＣＨでＨＡＲＱ−ＡＣＫが送信され、そのコネクティビティグループ内で最小のセカンダリセルインデクスのセカンダリセルのＰＵＳＣＨで周期的ＣＳＩが送信される。
【００８１】
このように、端末装置１とそれぞれ１つ以上のサービングセルを用いて通信する複数の基地局装置２とを有する通信システムにおいて、端末装置１は、上位層制御情報取得部において、サービングセル毎のコネクティビティ識別子を設定し、チャネル状態情報生成部において、サービングセル毎の周期的チャネル状態情報を算出する。１つのサブフレームにおいて、コネクティビティ識別子が同じ値を持つサービングセルの周期的チャネル状態情報の報告が衝突する場合、上りリンク制御情報生成部において、１つ以外の周期的チャネル状態情報をドロップして、上りリンク制御情報を生成し、上りリンク制御情報送信部において、上りリンク制御情報を含む上りリンクサブフレームを送信する。基地局装置２−１と基地局装置２−２のうちの少なくともいずれかは、上位層制御情報通知部において、サービングセル毎のコネクティビティ識別子として、複数の基地局装置のそれぞれに対応する値（例えば、基地局装置２−１のサービングセルに対しては第１の値、基地局装置２−２のサービングセルに対しては第２の値など）を設定する。また、基地局装置２−１と基地局装置２−１の各々は、上りリンク制御情報受信部において、上りリンクサブフレームを受信し、１つの上りリンクサブフレームにおいて、第１の基地局装置に対応するコネクティビティ識別子の値を持つ２つ以上のサービングセルの周期的チャネル状態情報の報告が衝突する場合、上りリンク制御情報抽出部において、衝突した周期的チャネル状態情報の中の１つの周期的チャネル状態情報のみを含む上りリンク制御情報を抽出する。好ましくは、各コネクティビティグループにおけるサービングセルのＣＳＩは、各コネクティビティグループのリードセルにおける上りリンクサブフレームで送受信される。
【００８２】
ここで、上位層制御情報通知部の機能は、基地局装置２−１と基地局装置２−２の両方が備えていてもよいし、片方のみが備えていてもよい。なお、片方のみが備えているとは、デュアルコネクティビティにおいて、基地局装置２−１と基地局装置２−２のいずれか一方から上位層制御情報が送信されることを意味し、基地局装置２−１または基地局装置２−２が上位層制御情報通知部そのものを持たない構成をとることを意味しない。基地局装置２−１および基地局装置２−２はバックホール送受信機構を有しており、基地局装置２−１が提供するサービングセルに関連する設定（これらのサービングセルのコネクティビティグループ設定を含む）を、基地局装置２−２が行う場合、基地局装置２−１はその設定を示す情報をバックホールを介して基地局装置２−２に送信し、基地局装置２−２はバックホールを介して受信した情報に基づいて、設定（基地局装置２−２内の設定、あるいは端末装置１へのシグナリング）を行う。逆に、基地局装置２−２が提供するサービングセルに関連する設定を、基地局装置２−１が行う場合、基地局装置２−２はその設定を示す情報をバックホールを介して基地局装置２−１に送信し、基地局装置２−１はバックホールを介して受信した情報に基づいて、設定（基地局装置２−１内の設定、あるいは端末装置１へのシグナリング）を行う。あるいは、上位層制御情報通知部の機能の一部を基地局装置２−２が担い、その他の機能を基地局装置２−１が担うようにしてもよい。この場合、基地局装置２−１をマスター基地局装置と呼び、基地局装置２−２をアシスト基地局装置と呼ぶことができる。アシスト基地局装置は、アシスト基地局装置が提供するサービングセルに関連する設定（これらのサービングセルのコネクティビティグループ設定を含む）を端末装置１に提供することができる。一方、マスター基地局装置は、マスター基地局装置が提供するサービングセルに関連する設定（これらのサービングセルのコネクティビティグループ設定を含む）を端末装置１に提供することができる。
【００８３】
端末装置１は、基地局装置２−１のみと通信を行っていると認識することができる。すなわち、上位層制御情報取得部は、基地局装置２−１および基地局装置２−２から通知される上位層制御情報を基地局装置２−１から通知されているものとして取得することができる。あるいは、端末装置１は，基地局装置２−１および基地局装置２−１という２つの基地局装置と通信を行っていると認識することもできる。すなわち、上位層制御情報取得部は、基地局装置２−１から通知される上位層制御情報および基地局装置２−２から通知される上位層制御情報を取得し、これらを結合（マージ）することができる。
【００８４】
これにより、各々の基地局装置２は、他の基地局装置２を経由することなく、所望の周期的ＣＳＩ報告を端末装置１から直接受信することができる。そのため、基地局装置２同士が低速度のバックホールで互いに接続されているような場合であっても、時宜にかなった周期的ＣＳＩ報告を用いてスケジューリングを行うことができる。
【００８５】
次に、非周期的ＣＳＩ報告について説明する。非周期的ＣＳＩ報告は、ＰＤＣＣＨやＥＰＤＣＣＨで送られる上りリンクグラントにおけるＣＳＩリクエストフィールドを用いて指示され、ＰＵＳＣＨを用いて送信される。より具体的には、基地局装置２−１あるいは基地局装置２−２は、まずｎ種類（ｎは自然数）のサービングセルの組み合わせ（あるいはＣＳＩプロセスの組み合わせ）を、専用ＲＲＣシグナリングを用いて端末装置１に設定する。ＣＳＩリクエストフィールドはｎ＋２種類の状態を表現することができる。状態は、それぞれ非周期的ＣＳＩ報告をフィードバックしない、上りリンクグラントで割り当てられるサービングセルにおける（あるいは上りリンクグラントで割り当てられるサービングセルのＣＳＩプロセスにおける）ＣＳＩ報告をフィードバックする、および予め設定されたｎ種類（ｎは自然数）のサービングセルの組み合わせ（あるいはＣＳＩプロセスの組み合わせ）におけるＣＳＩ報告をフィードバックすることを示している。基地局装置２−１あるいは基地局装置２−２は、所望のＣＳＩ報告に基づいてＣＳＩリクエストフィールドの値を設定し、端末装置１はＣＳＩリクエストフィールドの値に基づいて、いずれのＣＳＩ報告を行うかを判断し、ＣＳＩ報告を行う。基地局装置２−１あるいは基地局装置２−２は、所望のＣＳＩ報告を受信する。
【００８６】
デュアルコネクティビティ時の非周期的ＣＳＩ報告のひとつの例としては、ｎ種類（ｎは自然数）のサービングセルの組み合わせ（あるいはＣＳＩプロセスの組み合わせ）を、コネクティビティグループ毎に設定する。例えば、基地局装置２−１あるいは基地局装置２−２は、ｎ種類（ｎは自然数）のコネクティビティグループ＃０内のサービングセルの組み合わせ（あるいはコネクティビティグループ＃０内のＣＳＩプロセスの組み合わせ）と、ｎ種類（ｎは自然数）のコネクティビティグループ＃１内のサービングセルの組み合わせ（あるいはコネクティビティグループ＃０内のＣＳＩプロセスの組み合わせ）とを端末装置１に設定する。基地局装置２−１あるいは基地局装置２−２は、所望のＣＳＩ報告に基づいてＣＳＩリクエストフィールドの値を設定する。端末装置１は、非周期的ＣＳＩ報告を要求する上りリンクグラントでＰＵＳＣＨリソースが割り当てられるサービングセルがいずれのコネクティビティグループに属すかを判断し、非周期的ＣＳＩ報告を要求する上りリンクグラントでＰＵＳＣＨリソースが割り当てられるサービングセルが属すコネクティビティグループに対応するｎ種類（ｎは自然数）のサービングセルの組み合わせ（あるいはＣＳＩプロセスの組み合わせ）を用いて、いずれのＣＳＩ報告を行うかを判断し、非周期的ＣＳＩ報告を要求する上りリンクグラントで割り当てられたＰＵＳＣＨで非周期的ＣＳＩ報告を行う。基地局装置２−１あるいは基地局装置２−２は、所望のＣＳＩ報告を受信する。
【００８７】
デュアルコネクティビティ時の非周期的ＣＳＩ報告の他の例としては、１つのｎ種類（ｎは自然数）のサービングセルの組み合わせ（あるいはＣＳＩプロセスの組み合わせ）を設定する。ｎ種類（ｎは自然数）のサービングセルの組み合わせ（あるいはＣＳＩプロセスの組み合わせ）の各々は、いずれかのコネクティビティグループに属すサービングセル（あるいはコネクティビティグループに属すサービングセルのＣＳＩプロセス）の組み合わせに限定される。基地局装置２−１あるいは基地局装置２−２は、所望の非周期的ＣＳＩ報告に基づいてＣＳＩリクエストフィールドの値を設定し、端末装置１はＣＳＩリクエストフィールドの値に基づいて、いずれの非周期的ＣＳＩ報告を行うかを判断し、非周期的ＣＳＩ報告を行う。基地局装置２−１あるいは基地局装置２−２は、所望の非周期的ＣＳＩ報告を受信する。
【００８８】
これにより、各々の基地局装置２は、他の基地局装置２を経由することなく、所望の非周期的ＣＳＩ報告を端末装置１から直接受信することができる。また、各ＰＵＳＣＨは、１つのコネクティビティグループに属すサービングセル（あるいはコネクティビティグループに属すサービングセルのＣＳＩプロセス）の非周期的ＣＳＩ報告のみを含むため、他の基地局装置２の設定に依存しない非周期的ＣＳＩ報告を端末装置１から受信することができる。そのため、基地局装置２同士が低速度のバックホールで互いに接続されているような場合であっても、時宜にかなった非周期的ＣＳＩ報告を用いてスケジューリングを行うことができる。
【００８９】
＜第２の実施形態＞
本発明の第２の実施形態について以下に説明する。なお、以下の説明では、第１の実施形態と異なる箇所のみを取り上げて説明する。すなわち、それ以外に関しては、第１の実施形態に記載された技術を用いることができる。
【００９０】
図１０は、本実施形態に係る端末装置１のブロック構成の一例を示す概略図である。端末装置１は、受信アンテナ（端末受信アンテナ）６０１、ＯＦＤＭ信号受信部（下りリンク受信部）６０２、下りリンクサブフレーム処理部６０３、トランスポートブロック抽出部（データ抽出部）６０５、制御部（端末制御部）１００６、上位層（上位層制御情報取得部）１００７、チャネル状態測定部（ＣＳＩ生成部）６０８、上りリンクサブフレーム生成部１００９、ＳＣ−ＦＤＭＡ信号送信部（ＵＣＩ送信部）１０１１、送信アンテナ（端末送信アンテナ）１０１３を有する。下りリンクサブフレーム処理部６０３は、下りリンク参照信号抽出部６０４を有する。また、上りリンクサブフレーム生成部１００９は、上りリンク制御情報生成部（ＵＣＩ生成部）６１０を有する。なお、図６におけるブロックと同じ符号が振られているブロックは、図６におけるブロックと同じ機能を有するように設定されている。
【００９１】
本実施形態における端末装置１は、ＰＵＣＣＨあるいはＰＵＳＣＨを、１つのサブフレームにおいて１つのコネクティビティグループに対してのみ送信することができる。基地局装置２−１あるいは基地局装置２−２は、いずれの上りリンクサブフレームがいずれのコネクティビティグループ用のサブフレームであるか、すなわち各コネクティビティグループに対する上りリンクサブフレームのセットを、専用ＲＲＣシグナリングあるいは共通ＲＲＣシグナリングを用いて、端末装置１に設定する。上位層１００７は、この設定に基づくパラメータを制御部１００６に送る。制御部１００６は、いずれのコネクティビティグループ用の上りリンクサブフレームを生成するかを上りリンクサブフレーム生成部１００９に指示する。また、いずれのコネクティビティグループ用のサービングセルにおける上りリンクコンポーネントキャリアで送信するかを、ＳＣ−ＦＤＭＡ信号送信部１０１１に指示する。上りリンクサブフレーム生成部１００９は、制御部１００６の指示の下、いずれかコネクティビティグループ用の上りリンクサブフレームを生成する。ＳＣ−ＦＤＭＡ信号送信部１０１１は、制御部１００６の指示の下、いずれかコネクティビティグループ用のサービングセルにおける上りリンクコンポーネントキャリア用のキャリア周波数で、ＳＣ−ＦＤＭＡ信号を送信する。送信アンテナ１０１３は、いずれのコネクティビティグループ用のサービングセルにおける上りリンクコンポーネントキャリア用のキャリア周波数においても、信号を送信することができる。
【００９２】
図１１は、周期的ＣＳＩ報告の一例を示している。周期的ＣＳＩのパラメータ（サブフレームの周期および基準サブフレームから開始サブフレームへのオフセット、報告モード）は、サービングセル毎に個別に設定されることができる。周期的ＣＳＩに対するＰＵＣＣＨリソースのインデクスは、コネクティビティグループ毎に設定されることができる。ここでは、セル＃０、＃１、＃２および＃３における周期が、それぞれＴ１、Ｔ２、Ｔ３およびＴ４と設定されているものとする。コネクティビティグループ＃０のリードセルでありプライマリセルでもあるセル＃０では、セル＃０の周期的ＣＳＩをＴ１周期のサブフレームで上りリンク送信するとともに、セル＃１の周期的ＣＳＩをＴ２周期のサブフレームで上りリンク送信する。コネクティビティグループ＃１のリードセルであるセル＃２では、セル＃２の周期的ＣＳＩをＴ３周期のサブフレームで上りリンク送信するとともに、セル＃３の周期的ＣＳＩをＴ４周期のサブフレームで上りリンク送信する。任意のサブフレームにおいて、１つのコネクティビティグループ内のサービングにおける（あるいは、１つのコネクティビティグループ内のサービングセルのＣＳＩプロセスにおける）周期的ＣＳＩ報告だけを送信し、その他のコネクティビティグループの周期的ＣＳＩ報告はドロップする（送信しない）。
【００９３】
各サブフレームにおいて、いずれのコネクティビティグループのサービングセルにおける（あるいは、１つのコネクティビティグループ内のサービングセルのＣＳＩプロセスにおける）周期的ＣＳＩ報告を送信するかの決定方法としては、例えば、下記の（Ｅ１）から（Ｅ２）の方法を用いることができる。
（Ｅ１）図１１に示すように、各コネクティビティグループに対応する上りリンクサブフレームのセット（例えば、コネクティビティグループ＃０に対応する上りリンクサブフレームセット＃０やコネクティビティグループ＃１に対応する上りリンクサブフレームセット＃１）を、基地局装置２−１あるいは基地局装置２−２が端末装置１に設定する。端末装置１は、１つより多い上りリンクサブフレームセットが設定されている場合、周期的ＣＳＩ報告を行うサブフレームがいずれの上りリンクサブフレームセットに含まれるかを判定し、周期的ＣＳＩ報告のコネクティビティグループと、そのサブフレームのコネクティビティグループが一致しない場合（一致しない限り）は、周期的ＣＳＩ報告をドロップする。周期的ＣＳＩ報告のコネクティビティグループと、そのサブフレームのコネクティビティグループが一致する場合は、周期的ＣＳＩ報告を送信する。基地局装置２−１あるいは基地局装置２−２は、周期的ＣＳＩ報告がドロップされた場合は、その周期的ＣＳＩ報告を抽出せず、周期的ＣＳＩ報告が送信された場合は、その周期的ＣＳＩ報告を抽出する。
（Ｅ２）基地局装置２−１あるいは基地局装置２−２は端末装置１に、いずれかのコネクティビティグループのサービングセルでのＰＵＳＣＨ送信を指示するための上りリンクグラントを送信する。端末装置１は、周期的ＣＳＩ報告のコネクティビティグループと、そのサブフレームでＰＵＳＣＨが送信されるサービングセルのコネクティビティグループが一致しない場合は、周期的ＣＳＩ報告をドロップする。周期的ＣＳＩ報告のコネクティビティグループと、そのサブフレームで非周期的ＣＳＩ報告を伴わないＰＵＳＣＨが送信されるサービングセルのコネクティビティグループが一致する場合は、ＰＵＣＣＨまたはＰＵＳＣＨを用いて周期的ＣＳＩ報告を送信する。基地局装置２−１あるいは基地局装置２−２は、周期的ＣＳＩ報告がドロップされた場合は、その周期的ＣＳＩ報告を抽出せず、周期的ＣＳＩ報告が送信された場合は、その周期的ＣＳＩ報告を抽出する。
【００９４】
各コネクティビティグループに対応する上りリンクサブフレームのセットが設定される場合、端末装置１は、周期的ＣＳＩ報告だけでなく、非周期的ＣＳＩ報告に関しても、周期的ＣＳＩ報告のコネクティビティグループと、そのサブフレームのコネクティビティグループが一致しない限り、非周期的ＣＳＩ報告をドロップするようにしてもよい。このとき、ｎ種類のサービングセルの組み合わせのいずれかが、ＣＳＩリクエストフィールドにより指定され、その組み合わせ内のサービングセルのコネクティビティグループが、非周期的ＣＳＩ報告のためのサブフレームのコネクティビティグループが一致しない場合、端末装置１は、一致しないサービングセルを除くサービングセルにおける非周期的ＣＳＩ報告のみを送信するようにしてもよい。あるいは、その場合、端末装置１は、ＣＳＩリクエストフィールドにより指定された非周期的ＣＳＩ報告全体をドロップするようにしてもよい。あるいは、端末装置１は、組み合わせ内のサービングセルのコネクティビティグループが、非周期的ＣＳＩ報告のためのサブフレームのコネクティビティグループが一致しないようなＣＳＩリクエストを受信することを想定しないようにしてもよい。この場合、基地局装置２−１あるいは基地局装置２−２は、非周期的ＣＳＩ報告のためのサブフレームのコネクティビティグループと一致するサービングセルのみを含む組み合わせを、ＣＳＩリクエストフィールドを用いて指定する必要がある。なお、サービングセルの代わりに、サービングセルのＣＳＩプロセスを用いる場合も同様である。
【００９５】
これにより、各々の基地局装置２は、他の基地局装置２を経由することなく、所望のＣＳＩ報告を端末装置１から直接受信することができる。そのため、基地局装置２同士が低速度のバックホールで互いに接続されているような場合であっても、時宜にかなったＣＳＩ報告を用いてスケジューリングを行うことができる。
【００９６】
なお、上記実施形態では、サービングセルをコネクティビティグループにグループ化する場合について説明したが、これに限るものではない。例えば、複数のサービングセルにおいて、下りリンク信号のみをグループ化したり、上りリンク信号のみをグループ化したりすることができる。この場合、コネクティビティ識別子は下りリンク信号あるいは上りリンク信号に対して設定される。また、下りリンク信号と上りリンク信号とを個別にグループ化することができる。この場合、コネクティビティ識別子は下りリンク信号と上りリンク信号に対してそれぞれ個別に設定される。あるいは、下りリンクコンポーネントキャリアをグループ化したり、上りリンクコンポーネントキャリアをグループ化したりすることができる。この場合、コネクティビティ識別子は各コンポーネントキャリアに対してそれぞれ個別に設定される。
【００９７】
また、上記各実施形態では、コネクティビティグループを用いて説明したが、必ずしも同一の基地局装置（送信点）により提供されるサービングセルの集合をコネクティビティグループで規定する必要はない。コネクティビティグループに替えて、コネクティビティ識別子やセルインデクスを用いて規定することもできる。例えば，コネクティビティ識別子で規定する場合、上記各実施形態におけるコネクティビティグループは、同一のコネクティビティ識別子の値を持つサービングセルの集合と言い換えることができる。あるいは、セルインデクスで規定する場合、上記各実施形態におけるコネクティビティグループは、セルインデクスの値が所定値（あるいは所定範囲）であるサービングセルの集合と言い換えることができる。
【００９８】
また、上記各実施形態では、プライマリセルやリードセルという用語を用いて説明したが、必ずしもこれらの用語を用いる必要はない。例えば、上記各実施形態におけるプライマリセルをマスターセルと呼ぶこともできるし、上記各実施形態におけるリードセルをプライマリセルと呼ぶこともできる。
【００９９】
本発明に関わる基地局装置２−１あるいは基地局装置２−２、および端末装置１で動作するプログラムは、本発明に関わる上記実施形態の機能を実現するように、ＣＰＵ（Ｃｅｎｔｒａｌ  Ｐｒｏｃｅｓｓｉｎｇ  Ｕｎｉｔ）等を制御するプログラム（コンピュータを機能させるプログラム）であっても良い。そして、これら装置で取り扱われる情報は、その処理時に一時的にＲＡＭ（Ｒａｎｄｏｍ  Ａｃｃｅｓｓ  Ｍｅｍｏｒｙ）に蓄積され、その後、Ｆｌａｓｈ  ＲＯＭ（Ｒｅａｄ  Ｏｎｌｙ  Ｍｅｍｏｒｙ）などの各種ＲＯＭやＨＤＤ（Ｈａｒｄ  Ｄｉｓｋ  Ｄｒｉｖｅ）に格納され、必要に応じてＣＰＵによって読み出し、修正・書き込みが行われる。
【０１００】
尚、上述した実施形態における端末装置１、基地局装置２−１あるいは基地局装置２−２の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１０１】
尚、ここでいう「コンピュータシステム」とは、端末装置１、又は基地局装置２−１あるいは基地局装置２−２に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１０２】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１０３】
また、上述した実施形態における基地局装置２−１あるいは基地局装置２−２は、複数の装置から構成される集合体（装置グループ）として実現することもできる。装置グループを構成する装置の各々は、上述した実施形態に関わる基地局装置２−１あるいは基地局装置２−２の各機能または各機能ブロックの一部、または、全部を備えてもよい。装置グループとして、基地局装置２−１あるいは基地局装置２−２の一通りの各機能または各機能ブロックを有していればよい。また、上述した実施形態に関わる端末装置１は、集合体としての基地局装置と通信することも可能である。
【０１０４】
また、上述した実施形態における基地局装置２−１あるいは基地局装置２−２は、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）であってもよい。また、上述した実施形態における基地局装置２−１あるいは基地局装置２−２は、ｅＮｏｄｅＢに対する上位ノードの機能の一部または全部を有してもよい。
【０１０５】
また、上述した実施形態における端末装置１、基地局装置２−１あるいは基地局装置２−２の一部、又は全部を典型的には集積回路であるＬＳＩとして実現してもよいし、チップセットとして実現してもよい。端末装置１、基地局装置２−１あるいは基地局装置２−２の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１０６】
また、上述した実施形態では、端末装置もしくは通信装置の一例としてセルラー移動局装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１０７】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１０８】
５０１  上位層
５０２  制御部
５０３  コードワード生成部
５０４  下りリンクサブフレーム生成部
５０５  下りリンク参照信号生成部
５０６  ＯＦＤＭ信号送信部
５０７  送信アンテナ
５０８  受信アンテナ
５０９  ＳＣ−ＦＤＭＡ信号受信部
５１０  上りリンクサブフレーム処理部
５１１  上りリンク制御情報抽出部
６０１  受信アンテナ
６０２  ＯＦＤＭ信号受信部
６０３  下りリンクサブフレーム処理部
６０４  下りリンク参照信号抽出部
６０５  トランスポートブロック抽出部
６０６、１００６  制御部
６０７、１００７  上位層
６０８  チャネル状態測定部
６０９、１００９  上りリンクサブフレーム生成部
６１０  上りリンク制御情報生成部
６１１、６１２、１０１１  ＳＣ−ＦＤＭＡ信号送信部
６１３、６１４、１０１３  送信アンテナ
【図１】
0006524552.tif 000002
【図２】
0006524552.tif 000003
【図３】
0006524552.tif 000004
【図４】
0006524552.tif 000005
【図５】
0006524552.tif 000006
【図６】
0006524552.tif 000007
【図７】
0006524552.tif 000008
【図８】
0006524552.tif 000009
【図９】
0006524552.tif 000010
【図１０】
0006524552.tif 000011
【図１１】
0006524552.tif 000012